(57)【特許請求の範囲】
【請求項１】
ワイヤレス通信のための装置において、
複数の受信ビーム方向を通して通信を受信するように構成されている受信機と、
前記受信ビーム方向のうちの１つ以上に対する時間の割り振りを通信するように構成されている送信機と
を具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいており、前記１つ以上の装置に関する情報は、前記受信ビーム方向のうちの１つ以上のそれぞれに位置付けられていることが知られている装置の数量を含み、
ここにおいて、前記時間の割り振りは、知られている装置のうちの１つ以上からの通信が受信されるアクセス期間を含み、
前記受信機は、前記アクセス期間の少なくとも一部分の間に、前記１つ以上の知られている装置から要求メッセージを受信することと、ここで、前記要求メッセージは、データを送信するための時間を要求し、前記要求メッセージの数をカウントすることと、前記カウント値がしきい値と等しいか、またはしきい値を上回る場合、通信を受信するための付加的な時間を割り振ることとを行うように構成され、
前記受信ビーム方向のうちの１つに対する前記アクセス期間が連続する一方、前記受信ビーム方向の別のものに対する前記アクセス期間は連続しない、
装置。
【請求項２】
前記アクセス期間は、前記装置の数量に比例している持続期間を含む、請求項１記載の装置。
【請求項３】
前記時間の割り振りは、コンテンションアクセス期間に対応する請求項１記載の装置。
【請求項４】
１つの知られている装置から受信した前記要求メッセージの数量に少なくとも部分的に基づいて、前記１つ以上の知られている装置のうちの１つにスティッキー割り当てを割り振るように構成されている回路をさらに具備する請求項１記載の装置。
【請求項５】
装置から送信された信号が、第１の受信ビーム方向を通して受信された場合、前記装置は、前記第１の受信ビーム方向中に位置付けられていることが知られている請求項１記載の装置。
【請求項６】
前記時間の割り振りは、１つ以上のスケジューリングされたアクセス期間に対応する請求項１記載の装置。
【請求項７】
前記受信機は、前記１つ以上のスケジューリングされたアクセス期間のそれぞれの間に、単一の装置から、要求または制御メッセージを受信するように構成されている請求項６記載の装置。
【請求項８】
それぞれの知られている装置に対するアクセス期間をスケジューリングする請求項６記載の装置。
【請求項９】
前記受信ビーム方向のうちの１つ以上のうちの少なくとも１つに対して割り振られた時間の長さを決定するように構成されている回路をさらに具備する請求項１記載の装置。
【請求項１０】
前記送信機は、前記時間の割り振りの表示を含むビーコンを周期的に送信するように構成されている請求項１記載の装置。
【請求項１１】
前記ビーコンは、そこから前記受信機が前記通信を受信するだろうそれぞれの方向を示している情報をさらに含む請求項１０記載の装置。
【請求項１２】
前記送信機は、前記ビーコンを複数の方向に連続的に送信するように構成されている請求項１０記載の装置。
【請求項１３】
前記ビーコンは、前記１つ以上の装置を識別する情報を含む請求項１０記載の装置。
【請求項１４】
前記受信ビーム方向のうちの１つ以上と、前記受信ビーム方向のうちの１つ以上中に位置付けられていることが知られている装置の数量とを相関させる情報を、記憶するデータ構成をさらに具備する請求項１記載の装置。
【請求項１５】
前記送信機と受信機とを利用して、ビーム追跡を実行するように構成されている回路をさらに具備する請求項１記載の装置。
【請求項１６】
単一の装置は、前記受信ビーム方向のうちの１つ以上のそれぞれに位置付けられていることが知られている請求項１記載の装置。
【請求項１７】
前記受信ビーム方向のうちの第１のものに対する前記時間の割り振りは、前記受信ビーム方向のうちの第２のものに対する前記時間の割り振りとは異なる請求項１記載の装置。
【請求項１８】
前記時間の割り振りは、連続する請求項１記載の装置。
【請求項１９】
前記時間の割り振りは、連続しない請求項１記載の装置。
【請求項２０】
前記受信ビーム方向のうちの第１のものに対する前記時間の割り振りは、連続しないサブ期間の第１の数量を含み、前記受信ビーム方向のうちの第２のものに対する前記時間の割り振りは、連続しないサブ期間の第２の数量を含み、前記第１の数量は、前記第２の数量とは異なる請求項１９記載の装置。
【請求項２１】
ワイヤレス通信のための方法において、
複数の受信ビーム方向のうちの１つ以上に対する時間の割り振りを送信することと、
少なくとも１つの装置が位置付けられていることが知られている前記受信ビーム方向を通して、１つ以上の装置のうちの少なくとも１つから通信を受信することと
を含み、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいており、前記１つ以上の装置に関する情報は、前記受信ビーム方向のうちの１つ以上のそれぞれに位置付けられていることが知られている装置の数量を含み、
ここにおいて、前記時間の割り振りは、知られている装置のうちの１つ以上からの通信が受信されるアクセス期間を含み、
前記受信することは、前記アクセス期間の少なくとも一部分の間に、前記１つ以上の知られている装置から要求メッセージを受信することと、ここで、前記要求メッセージは、データを送信するための時間を要求し、前記要求メッセージの数をカウントすることと、前記カウント値がしきい値と等しいか、またはしきい値を上回る場合、通信を受信するための付加的な時間を割り振ることとを含み、
前記受信ビーム方向のうちの１つに対する前記アクセス期間が連続する一方、前記受信ビーム方向の別のものに対する前記アクセス期間は連続しない、
方法。
【請求項２２】
前記アクセス期間は、前記装置の数量に比例している持続期間を含む、請求項２１記載の方法。
【請求項２３】
前記時間の割り振りは、コンテンションアクセス期間に対応する請求項２１記載の方法。
【請求項２４】
装置から受信した前記要求メッセージの数量に少なくとも部分的に基づいて、前記装置にスティッキー割り当てを割り振ることをさらに含む請求項２３記載の方法。
【請求項２５】
装置から送信された信号が、第１の受信ビーム方向を通して受信されたとき、前記装置は、第１の受信ビーム方向中に位置付けられていることが知られている請求項２１記載の方法。
【請求項２６】
前記時間の割り振りは、１つ以上のスケジューリングされたアクセス期間に対応する請求項２１記載の方法。
【請求項２７】
前記スケジューリングされたアクセス期間のうちの１つの間に、第１の装置からの信号送信を認識することと、
前記信号を無視することとを含み、
前記装置は、前記スケジューリングされたアクセス期間のうちの１つの間に通信を送信するようにスケジューリングされていない請求項２６記載の方法。
【請求項２８】
それぞれの知られている装置に対するアクセス期間をスケジューリングすることを含む請求項２６記載の方法。
【請求項２９】
前記受信ビーム方向のうちの１つ以上のうちの少なくとも１つに対して割り振られた時間の長さを決定することをさらに含む請求項２１記載の方法。
【請求項３０】
前記送信することは、前記時間の割り振りの表示を含むビーコンを周期的に送信することを含む請求項２１記載の方法。
【請求項３１】
前記ビーコンは、そこから通信が受信されるだろうそれぞれの方向を示している情報をさらに含む請求項３０記載の方法。
【請求項３２】
前記送信することは、前記ビーコンを複数の方向に連続的に送信することを含む請求項３０記載の方法。
【請求項３３】
前記ビーコンは、前記１つ以上の装置を識別する情報を含む請求項３０記載の方法。
【請求項３４】
前記受信ビーム方向のうちの１つ以上と、前記受信ビーム方向のうちの１つ以上中に位置付けられていることが知られている装置の数量とを相関させる情報を、データ構成中に記憶させることをさらに含む請求項２１記載の方法。
【請求項３５】
前記送信の前に、ビーム追跡を実行することをさらに含む請求項２１記載の方法。
【請求項３６】
単一の装置は、前記受信ビーム方向のうちの１つ以上のそれぞれに位置付けられていることが知られている請求項２１記載の方法。
【請求項３７】
前記受信ビーム方向のうちの第１のものに対する前記時間の割り振りは、前記受信ビーム方向のうちの第２のものに対する前記時間の割り振りとは異なる請求項２１記載の方法。
【請求項３８】
前記時間の割り振りは、連続する請求項２１記載の方法。
【請求項３９】
前記時間の割り振りは、連続しない請求項２１記載の方法。
【請求項４０】
前記受信ビーム方向のうちの第１のものに対する前記時間の割り振りは、連続しないサブ期間の第１の数量を含み、前記受信ビーム方向のうちの第２のものに対する前記時間の割り振りは、連続しないサブ期間の第２の数量を含み、前記第１の数量は、前記第２の数量とは異なる請求項３９記載の方法。
【請求項４１】
ワイヤレス通信のための装置において、
複数の受信ビーム方向のうちの１つ以上に対する時間の割り振りを送信する手段と、
少なくとも１つの装置が位置付けられていることが知られている前記受信ビーム方向を通して、１つ以上の装置のうちの少なくとも１つから通信を受信する手段と
を具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいており、
前記１つ以上の装置に関する情報は、前記受信ビーム方向のうちの１つ以上のそれぞれに位置付けられていることが知られている装置の数量を含み、
ここにおいて、前記時間の割り振りは、知られている装置のうちの１つ以上からの通信が受信されるアクセス期間を含み、
前記受信する手段は、前記アクセス期間の少なくとも一部分の間に、前記１つ以上の知られている装置から要求メッセージを受信することと、ここで、前記要求メッセージは、データを送信するための時間を要求し、前記要求メッセージの数をカウントすることと、前記カウント値がしきい値と等しいか、またはしきい値を上回る場合、通信を受信するための付加的な時間を割り振ることとを行うための手段とを含み、
前記受信ビーム方向のうちの１つに対する前記アクセス期間が連続する一方、前記受信ビーム方向の別のものに対する前記アクセス期間は連続しない、
装置。
【請求項４２】
前記アクセス期間は、前記装置の数量に比例している持続期間を含む、請求項４１記載の装置。
【請求項４３】
前記時間の割り振りは、コンテンションアクセス期間に対応する請求項４１記載の装置。
【請求項４４】
装置から受信した前記要求メッセージの数量に少なくとも部分的に基づいて、前記装置にスティッキー割り当てを割り振る手段をさらに具備する請求項４３記載の装置。
【請求項４５】
装置から送信された信号が、第１の受信ビーム方向を通して受信されたとき、前記装置は、前記第１の受信ビーム方向中に位置付けられていることが知られている請求項４１記載の装置。
【請求項４６】
前記時間の割り振りは、１つ以上のスケジューリングされたアクセス期間に対応する請求項４１記載の装置。
【請求項４７】
前記スケジューリングされたアクセス期間のうちの１つの間に、第１の装置からの信号送信を認識する手段と、
前記スケジューリングされたアクセス期間のうちの１つの間に通信を送信するように前記装置がスケジューリングされていない場合に前記信号を無視する手段とを具備する請求項４６記載の装置。
【請求項４８】
それぞれの知られている装置に対するアクセス期間をスケジューリングする手段を具備する請求項４６記載の装置。
【請求項４９】
前記受信ビーム方向のうちの１つ以上のうちの少なくとも１つに対して割り振られた時間の長さを決定する手段をさらに具備する請求項４１記載の装置。
【請求項５０】
前記送信する手段は、前記時間の割り振りの表示を含むビーコンを周期的に送信する手段を備える請求項４１記載の装置。
【請求項５１】
前記ビーコンは、そこから通信が受信されるだろうそれぞれの方向を示している情報をさらに含む請求項５０記載の装置。
【請求項５２】
前記送信する手段は、前記ビーコンを複数の方向に連続的に送信する手段を備える請求項５０記載の装置。
【請求項５３】
前記ビーコンは、前記１つ以上の装置を識別する情報を含む請求項５０記載の装置。
【請求項５４】
前記受信ビーム方向のうちの１つ以上と、前記受信ビーム方向のうちの１つ以上中に位置付けられていることが知られている装置の数量とを相関させる情報を、データ構成中に記憶させる手段をさらに具備する請求項４１記載の装置。
【請求項５５】
前記送信の前に、ビーム追跡を実行する手段をさらに具備する請求項４１記載の装置。
【請求項５６】
単一の装置は、前記受信ビーム方向のうちの１つ以上のそれぞれに位置付けられていることが知られている請求項４１記載の装置。
【請求項５７】
前記受信ビーム方向のうちの第１のものに対する前記時間の割り振りは、前記受信ビーム方向のうちの第２のものに対する前記時間の割り振りとは異なる請求項４１記載の装置。
【請求項５８】
前記時間の割り振りは、連続する請求項４１記載の装置。
【請求項５９】
前記時間の割り振りは、連続しない請求項４１記載の装置。
【請求項６０】
前記受信ビーム方向の第１のものに対する前記時間の割り振りは、連続しないサブ期間の第１の数量を含み、前記受信ビーム方向の第２のものに対する前記時間の割り振りは、連続しないサブ期間の第２の数量を含み、前記第１の数量は、前記第２の数量とは異なる請求項５９記載の装置。
【請求項６１】
コンピュータ実行可能命令を有するコンピュータ読取可能記憶媒体において、
前記コンピュータ実行可能命令は、プロセッサによって実行されるときに、前記プロセッサに、
複数の受信ビーム方向のうちの１つ以上に対する時間の割り振りを送信させるためのコードと、
少なくとも１つの装置が位置付けられていることが知られている前記受信ビーム方向を通して、１つ以上の装置のうちの少なくとも１つから通信を受信させるためのコードと
を含み、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいており、
前記１つ以上の装置に関する情報は、前記受信ビーム方向のうちの１つ以上のそれぞれに位置付けられていることが知られている装置の数量を含み、
ここにおいて、前記時間の割り振りは、知られている装置のうちの１つ以上からの通信が受信されるアクセス期間を含み、
前記受信させるためのコードは、前記アクセス期間の少なくとも一部分の間に、前記１つ以上の知られている装置から要求メッセージを受信させるためのコードと、ここで、前記要求メッセージは、データを送信するための時間を要求し、前記要求メッセージの数をカウントするためのコードと、前記カウント値がしきい値と等しいか、またはしきい値を上回る場合、通信を受信するための付加的な時間を割り振るためのコードとを含み、
前記受信ビーム方向のうちの１つに対する前記アクセス期間が連続する一方、前記受信ビーム方向の別のものに対する前記アクセス期間は連続しない、
コンピュータ読取可能記憶媒体。
【請求項６２】
前記アクセス期間は、前記装置の数量に比例している持続期間を含む、請求項６１に記載のコンピュータ読取可能記憶媒体。
【請求項６３】
ワイヤレスノードにおいて、
アンテナと、
複数の受信ビーム方向を通しての通信を、前記アンテナを通して受信するように構成されている受信機と、
前記受信ビーム方向のうちの１つ以上に対する時間の割り振りを通信するように構成されている送信機と
を具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいており、
前記１つ以上の装置に関する情報は、前記受信ビーム方向のうちの１つ以上のそれぞれに位置付けられていることが知られている装置の数量を含み、
ここにおいて、前記時間の割り振りは、知られている装置のうちの１つ以上からの通信が受信されるアクセス期間を含み、
前記受信機は、前記アクセス期間の少なくとも一部分の間に、前記１つ以上の知られている装置から要求メッセージを受信することと、ここで、前記要求メッセージは、データを送信するための時間を要求し、前記要求メッセージの数をカウントすることと、前記カウント値がしきい値と等しいか、またはしきい値を上回る場合、通信を受信するための付加的な時間を割り振ることとを行うように構成され、
前記受信ビーム方向のうちの１つに対する前記アクセス期間が連続する一方、前記受信ビーム方向の別のものに対する前記アクセス期間は連続しない、
ワイヤレスノード。
【請求項６４】
前記アクセス期間は、前記装置の数量に比例している持続期間を含む、請求項６３に記載のワイヤレスノード。
【発明の詳細な説明】
【関連出願に対する相互参照】
【０００１】
本出願は、３５ Ｕ．Ｓ．Ｃ １１９条の下、２０１０年２月２日に出願された、米国仮出願番号第６１／３００，７５２に対して優先権を主張し、この出願は、それにより、その全体の参照により組み込まれている。
【背景】
【０００２】
分野
本開示は、一般的に、通信システムに関する。さらに詳細に述べると、ワイヤレスネットワークにおける１つ以上の装置への、時間の割り振りを送信することに関する。
【０００３】
序文
ワイヤレス通信システムのために要求される増加する帯域幅要件の問題を取り扱うために、高データスループットを達成しつつ、１つ以上のチャネルを通しての通信を可能にする異なるスキームが開発されている。これらのスキームは、データおよび制御情報の送信または受信、信号変調の形態、あるいは、物理（ＰＨＹ）レイヤまたはメディアアクセス制御（ＭＡＣ）レイヤの利用のためのプロトコルを含んでいてもよい。
【概要】
【０００４】
この発明のシステム、方法、装置、およびコンピュータ読み取り可能媒体には、それぞれ、いくつかの態様があり、これらの態様のうちの単一のものだけが、その好ましい属性を担っているものではない。後続する特許請求の範囲によって表現したような本発明の範囲を限定しないで、この、より顕著な特徴をこれから簡単に説明する。この説明を考慮した後、特に、「詳細な説明」と題するセクションを読んだ後、本発明の特徴がどのようにチャネル選択を提供するかを、当業者は正しく認識するだろう。
【０００５】
１つの態様は、ワイヤレス通信のための装置を含む。この装置は、複数の受信ビーム方向を通して通信を受信するように構成されている受信機と、受信ビーム方向のうちの１つ以上に対する時間の割り振りを通信するように構成されている送信機とを備える。この態様では、１つ以上の受信ビーム方向のそれぞれに対する時間の割り振りは、受信ビーム方向のうちの１つ以上のそれぞれの各受信ビーム方向中に位置付けられていることが知られている１つ以上の装置に関する情報に少なくとも部分的に基づいている。
【０００６】
別の態様は、ワイヤレス通信のための方法を含む。この方法は、複数の受信ビーム方向のうちの１つ以上に対する時間の割り振りを送信することを含む。１つ以上の受信ビーム方向のそれぞれに対する時間の割り振りは、受信ビーム方向のうちの１つ以上のそれぞれの各受信ビーム方向中に位置付けられていることが知られている１つ以上の装置に関する情報に少なくとも部分的に基づいている。この方法は、少なくとも１つの装置が位置付けられていることが知られている受信ビーム方向を通して、１つ以上の装置のうちの少なくとも１つから通信を受信することをさらに含む。
【０００７】
別の態様は、ワイヤレス通信のための装置を含む。この装置は、複数の受信ビーム方向のうちの１つ以上に対する時間の割り振りを送信する手段を備え、１つ以上の受信ビーム方向のそれぞれに対する時間の割り振りは、受信ビーム方向のうちの１つ以上のそれぞれの各受信ビーム方向中に位置付けられていることが知られている１つ以上の装置に関する情報に少なくとも部分的に基づいている。この装置は、少なくとも１つの装置が位置付けられていることが知られている受信ビーム方向を通して、１つ以上の装置のうちの少なくとも１つからの通信を受信する手段をさらに備える。
【０００８】
別の態様は、命令を含むコンピュータ読み取り可能媒体を具備する、通信のためのコンピュータプログラムプロダクトを備える。実行されるときに、命令は、複数の受信ビーム方向のうちの１つ以上に対する時間の割り振りを装置に送信させ、そして、少なくとも１つの装置が位置付けられていることが知られている受信ビーム方向を通して、１つ以上の装置のうちの少なくとも１つからの通信を装置に受信させ、１つ以上の受信ビーム方向のそれぞれに対する時間の割り振りは、受信ビーム方向のうちの１つ以上のそれぞれの各受信ビーム方向中に位置付けられていることが知られている１つ以上の装置に関する情報に少なくとも部分的に基づいている。
【０００９】
別の態様は、ワイヤレスノードを備える。ノードは、アンテナと；複数の受信ビーム方向を通しての通信を、アンテナを通して受信するように構成されている受信機と；受信ビーム方向のうちの１つ以上に対する時間の割り振りを通信するように構成されている送信機とを備える。１つ以上の受信ビーム方向のそれぞれに対する時間の割り振りは、受信ビーム方向のうちの１つ以上のそれぞれの各受信ビーム方向中に位置付けられていることが知られている１つ以上の装置に関する情報に少なくとも部分的に基づいている。
【図面の簡単な説明】
【００１０】
後続する詳細な説明および添付する図面中で、この発明の、これらの態様および他のサンプルの態様を記述する。  
【図１】図１は、態様にしたがった、通信システムのブロック図を図示している。
【図２】図２は、図１中で図示されている通信システムにおいて使用するノードの態様を図示している。
【図３Ａ】図３Ａは、図１中で図示されている通信システムにおいて使用するビームフォーミングの態様を図示している。
【図３Ｂ】図３Ｂは、図１中で図示されている通信システムにおいて使用するビームフォーミングの態様を図示している。
【図３Ｃ】図３Ｃは、図１中で図示されている通信システムにおいて使用するビームフォーミングの態様を図示している。
【図３Ｄ】図３Ｄは、図１中で図示されている通信システムにおいて使用するビームフォーミングの態様を図示している。
【図４】図４は、スーパーフレーム構造の態様を図示している。
【図５】図５は、図１中で図示されている通信システムにおいて通信する方法の態様を図示している。
【図６】図６は、複数の受信ビーム方向中に位置付けされているノードを持つ、システムの態様を図示している。
【図７】図７は、通信システムにおいて時間を割り振る方法の態様を図示している。
【図８】図８は、図６中で図示されている、システムにおいて使用するビームフォーミングの態様を図示している。
【図９】図９は、図４中で図示されている、アクセス期間の態様を図示している。
【図１０】図１０は、図４中で図示されている、アクセス期間の態様を図示している。
【図１１】図１１は、図４中で図示されている、アクセス期間の態様を図示している。
【図１２】図１２は、図４中で図示されている、アクセス期間の態様を図示している。
【図１３】図１３は、図４中で図示されている、アクセス期間の態様を図示している。
【図１４】図１４は、異なる電力半値帯域（ＨＰＢＷ）に対して観測された信号対ノイズ比のグラフを図示している。
【図１５】図１５は、異なるビーム幅に対する受信ビームインデックスのヒストグラムを図示している。
【図１６】図１６は、異なるビーム幅に対する受信ビームインデックスのヒストグラムを図示している。
【図１７】図１７は、要求メッセージの異なる可能性に対して通信が受信されるだろう可能性を示しているグラフを図示している。
【図１８】図１８は、送信する装置の異なる数量に対して通信が受信されるだろう可能性を示しているグラフを図示している。
【図１９】図１９は、図１中で図示されている通信システムにおいて使用するノードの態様を図示している。
【図２０】図２０は、通信システムにおいて通信する方法の態様を図示している。
【００１１】
図面中で図示されているさまざまな特徴は、スケーリングされて描かれてはいない。したがって、特徴のサイズまたはスケールを説明しないときには、明確にするために、さまざまな特徴の大きさを、任意に拡張または縮小させていることがある。加えて、図面のうちのいくつかは、明確にするために、簡略化されていることがある。したがって、図面は、所定の装置、デバイス、システム、方法のコンポーネントのすべてを、あるいは、他の何らかの図示されているコンポーネントまたはプロセスを描写していない。明細書および図面全体にわたって、同じ特徴を示すために、同じ参照番号を使用する。
【詳細な説明】
【００１２】
以下で、付随する図面を参照して、方法、システム、および装置のさまざまな態様をより完全に記述する。しかしながら、これらの方法、システム、および装置は、多くの異なる形態で具現化してもよく、本開示全体を通して提示した任意の特定の構成または機能に限定されるものとして解釈すべきではない。むしろ、本開示が十分で完全となり、これらの方法、システム、および装置の範囲を当業者に完全に伝えるように、これらの態様を提供している。この開示の任意の他の態様と無関係に、または、組み合わせて実現しようとしなかろうと、この開示の範囲が、ここで開示した、方法、システム、および装置の任意の態様をカバーすることを意図していることを、ここでの記述に基づいて、当業者は正しく認識すべきである。例えば、ここで述べた任意の数の態様を使用して、システムまたは装置を実現してもよく、あるいは、方法を実施してもよい。加えて、ここで述べた開示のさまざまな態様に加えた、または、以外の、他の構成、機能性、または、構成および機能性を使用して実施される、このような装置、システム、または方法をカバーすることを、この開示の範囲は意図している。ここでの開示の任意の態様は、請求項の１つ以上の要素によって具現化してもよいことを理解すべきである。
【００１３】
ここで開示した態様は、他の何らかの態様とは無関係に実現してもよいこと、そして、これらの態様のうちの２つ以上のものを、さまざまな方法で組み合わせてもよいこととを、当事者は正しく認識すべきである。例えば、ここに述べる任意の数の態様を使用して、装置を実現してもよく、または、方法を実施してもよい。同様に、ここで開示した方法は、コンピュータ読み取り可能記憶媒体から得られる命令を実行するように構成されている１つ以上のコンピュータプロセッサによって実行してもよく、例えば、この命令は、媒体上にコードとして記憶されている。何らかの時間の間隔の間に、コンピュータによって情報を読み取ることができるように、コンピュータ読み取り可能記憶媒体は、その時間の間隔の間、データまたは命令のような情報を記憶させる。コンピュータ読み取り可能記憶媒体の例は、ランダムアクセスメモリ（ＲＡＭ）のようなメモリであり、ハードドライブ、光ディスク、フラッシュメモリ、フロッピー（登録商標）ディスク、磁気テープ、ペーパーテープ、パンチカード、ジップドライブのような記憶装置である。
【００１４】
いくつかの態様では、ここで記述したワイヤレス通信システムは、ワイヤレスエリアネットワークを含んでいてもよい。例えば、システムは、ワイヤレスローカルエリアネットワーク（ＷＬＡＮ）またはワイヤレスパーソナルエリアネットワーク（ＷＰＡＮ）を含んでいてもよい。ＷＬＡＮは、１つ以上の既存または開発している標準規格に、例えば、Ｉ電気電子技術者協会（ＩＥＥＥ）８０２．１１標準規格にしたがって実現してもよい。ＩＥＥＥ８０２．１１標準規格は、ＩＥＥＥ８０２．１１によって開発された、ＷＬＡＮエアインターフェース標準規格のセットを示している。例えば、ここで記述したシステムは、８０２．１１ａｄと、８０２．１１ａｃと、８０２．１１ａと、８０２．１１ｂと、８０２．１１ｇと、８０２．１１ｎ標準規格とのうちの任意のものにしたがって実現してもよい。同様に、ＷＰＡＮは、ＩＥＥＥ標準規格のうちの１つ以上に、例えば、ＩＥＥＥ８０２．１５標準規格にしたがって実現してもよい。ＩＥＥＥ８０２．１５標準規格は、ＩＥＥＥ委員会によって開発されたＷＰＡＮエアインターフェース標準規格のセットを示している。例えば、ここで記述したシステムは、８０２．１１ａｄ、８０２．１５．３ｂ、８０２．１５．３ｃ、８０２．１５．４ａ、８０２．１５．４ｂ、および８０２．１５．４ｃ標準規格のうちの任意のものにしたがって実現してもよい。このようなエリアネットワークは、複数入力および／または複数出力（ＭＩＭＯ）技術をサポートしてもよい。加えて、ここで記述したシステムは、ブルートゥース（登録商標）標準規格にしたがって実現してもよい。
【００１５】
ここで記述したシステムは、上記の標準規格のうちの１つ以上にしたがって実現してもよいが、ここで記述したシステムは、このようなインプリメンテーションに限定されないことを、当業者は認識するだろう。加えて、これらの標準規格のうちの１つを実現するようなシステムを記述したが、システム中で提示されているデバイスは、加えて、または、代替的に、別の標準規格を実現してもよいことを、当業者は認識するだろう。このシチュエーションでは、システムの特徴を選択する際に、このような他の標準規格を使用するデバイスに対処するのに有益であるかもしれない。例えば、他のデバイスからのこのような通信に対処するシステムに有益であるかもしれないが、このシステムは、他のデバイスからの通信を受信するように構成していないかもしれない。いくつかの態様では、他のデバイスの通信は、実現する送信および受信スキームを選択しない限り、システムメッセージに干渉するかもしれない。
【００１６】
いくつかの態様では、例えば、８０２．１１ａｄまたは８０２．１５．３ｃ標準規格にしたがって実現されるシステムでは、（例えば、おおよそ６０ＧＨｚの搬送波周波数を持つ）ミリメートル波の通信のために、ＰＨＹレイヤを使用してもよい。例えば、５７ＧＨｚ−６６ＧＨｚ（例えば、米国では５７ＧＨｚ−６４ＧＨｚ、および、日本では５９ＧＨｚ−６６ＧＨｚ）スペクトルにおけるミリメートル波の通信のために、システムを構成してもよい。このようなインプリメンテーションは、特に、短距離通信（例えば、数メートルないし数十メートル）で使用するのに有益である。例えば、会議室内で動作するように、そして会議室内で位置付けられているデバイス間のワイヤレス通信能力を提供するように、システムを構成してもよい。いくつかの態様では、通信は、単一搬送波を通して、例えば、５７ＧＨｚ−６６ＧＨｚの範囲中で周波数を持つ搬送波を通して送信される。他の態様では、通信は、例えば、直交周波数分割多重化（ＯＦＤＭ）にしたがって、多重搬送波または副搬送波を通して送信される。
【００１７】
ミリメートル波を利用するシステムは、アクセスポイント（ＡＰ）／異なるデバイス間の通信を管理するポイント調整機能（ＰＣＦ）のような、中央エンティティを持っていてもよく、これは、局（ＳＴＡ）と呼ばれる。中央エンティティを持つことによって、通信プロトコルの設計を簡略化することができる。いくつかの態様では、専用の、または、予め定められたＡＰが存在していてもよい。他のシステムでは、複数のデバイスが、ＡＰの機能を実行してもよい。いくつかの態様では、何らかのデバイスをＡＰとして使用してもよく、または、ＡＰ機能性の性能は、異なるデバイス間で交替させてもよい。いくつかの態様では、ここでＳＴＡとして記述され得るデバイスを使用して、ＡＰ機能性を実行してもよいことを、当業者は認識するだろう。いくつかの態様では、専用の、または、予め定められたＡＰが存在していてもよく、あるいは、ＡＰの機能性を実現するためにＳＴＡを使用してもよく、あるいはＡＰ機能性を実行する１つ以上のＳＴＡと組み合わせた、専用の、または、予め定められたＡＰが存在していてもよい。
【００１８】
ＡＰは、基地局、基地トランシーバ局、局、端末、ノード、アクセスポイントとして機能するアクセス端末、ＷＬＡＮデバイス、ＷＰＡＮデバイス、または、他の何らかの適した専門用語のものを含んでいてもよく、基地局、基地トランシーバ局、局、端末、ノード、アクセスポイントとして機能するアクセス端末、ＷＬＡＮデバイス、ＷＰＡＮデバイス、または、他の何らかの適した専門用語のものを実現してもよく、あるいは、基地局、基地トランシーバ局、局、端末、ノード、アクセスポイントとして機能するアクセス端末、ＷＬＡＮデバイス、ＷＰＡＮデバイス、ＷＰＡＮデバイスと呼ぶことがあり、または、他の何らかの適した専門用語で呼ぶことがある。ＡＰはまた、ノードＢ、無線ネットワーク制御装置（ＲＮＣ）、ｅノードＢ、基地局制御装置（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または、他の何らかの適した専門用語のものを含んでいてもよく、ノードＢ、無線ネットワーク制御装置（ＲＮＣ）、ｅノードＢ、基地局制御装置（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または、他の何らかの適した専門用語のものとして実現してもよく、あるいは、ノードＢ、無線ネットワーク制御装置（ＲＮＣ）、ｅノードＢ、基本制御装置（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）と呼ぶことがあり、または、他の何らかの専門用語を使用して呼ぶことがある。
【００１９】
ＳＴＡは、アクセス端末、ユーザ端末、移動局、加入者局、局、ワイヤレスデバイス、端末、ノード、または他の何らかの適した専門用語のものを含んでいてもよく、アクセス端末、ユーザ端末、移動局、加入者局、局、ワイヤレスデバイス、端末、ノード、または他の何らかの適した専門用語のものとして実現してもよく、あるいは、アクセス端末、ユーザ端末、移動局、加入者局、局、ワイヤレスデバイス、端末、ノードと呼ばれることがあり、または、他の何らかの適した専門用語で呼ばれることがある。ＳＴＡは、遠隔局、遠隔端末、ユーザエージェント、ユーザデバイス、ユーザ機器、または他の何らかの適した専門用語のものを含んでいてもよく、遠隔局、遠隔端末、ユーザエージェント、ユーザデバイス、ユーザ機器、または他の何らかの適した専門用語のものとして実現してもよく、遠隔局、遠隔端末、ユーザエージェント、ユーザデバイス、ユーザ機器と呼ばれることがあり、または、他の何らかの適した専門用語で呼ばれることがある。
【００２０】
特定の態様をここで記述したが、これらの態様の多くのバリエーションおよび順列は、この開示の範囲内にある。好ましい態様のいくつかの利益および利点を述べたが、この開示の範囲は、特定の利益、用途、または目的に限定されることを意図したものではない。むしろ、この開示の態様は、異なるワイヤレス技術、システムコンフィギュレーション、ネットワーク、および送信プロトコルに広く適用可能であることを意図しており、これらのうちのいくつかは、例示として、図面中で、および、好ましい態様の以下の説明中で示している。詳細な説明と、以下で記述される図面は、限定するというよりむしろ、この開示の例示に過ぎない。
【００２１】
図１は、ワイヤレス通信システム１００の態様を図示している。図示されているように、システム１００は、多数のワイヤレスノード１０２を備えていてもよく、この多数のワイヤレスノード１０２は、例えば、上述したように、おおよそ６０ＧＨｚの周波数を持つ波を使用しているＰＨＹレイヤを通して、ワイヤレスリンク１０４を使用して互いに通信することができる。図示されている態様では、ワイヤレスノード１０２は、４つの局、ＳＴＡ １Ａ−ＳＴＡ １Ｄと、アクセスポイントＡＰ １Ｅとを備えている。５つのワイヤレスノード１０２でシステム１００を図示したが、任意の数のノード、ワイヤードまたはワイヤレスが、ワイヤレス通信システム１００を形成してもよいことを正しく認識すべきである。
【００２２】
システム１００におけるノード１０２のそれぞれは、数ある中でも、ワイヤレス通信をサポートするためのワイヤレストランシーバと、ネットワークを通しての通信を管理するための、制御装置の機能性とを備えていてもよい。制御装置の機能性は、１つ以上のデジタル処理デバイス内で実現してもよい。ワイヤレスチャネルを通しての、信号の送信と信号の受信とを促進するために、ワイヤレストランシーバは１つ以上のアンテナに結合させてもよい。例えば、ダイポール、パッチ、ヘリカルアンテナ、アンテナアレイ、および／または他のものを含む、任意のタイプのアンテナを使用してもよい。
【００２３】
システム１００におけるノード１０２は、例えば、ラップトップ、デスクトップ、パームトップ、または、ワイヤレスネットワーキング機能性を持つタブレットコンピュータ、ワイヤレスネットワーキング能力を持つコンピュータ周辺機器、ワイヤレスネットワーキング能力を持つパーソナルデジタルアシスタント（ＰＤＡ）、セッション開始プロトコル（ＳＩＰ）プロトコル、セルラ電話機、および他のハンドヘルドワイヤレス通信、ページャ、より大きいシステムの中に組み込まれているワイヤレスネットワークインターフェースモジュール（例えば、ワイヤレスネットワークインターフェースカード等）、ワイヤレスローカルループ（ＷＬＬ）局、グローバルポジショニングシステム（ＧＰＳ）デバイス、ワイヤレスネットワーキング能力を持つマルチメディアデバイス、ワイヤレスネットワーキング能力を持つオーディオ／ビジュアルデバイス、ワイヤレスネットワーキング能力を持つホームアプリケーション、ワイヤレスネットワーキング能力を持つ装身具または他のウェアラブルなアイテム、ワイヤレスユニバーサルシリアルバス（ＵＳＢ）デバイス、ワイヤレスデジタルイメージングデバイス（例えば、デジタルカメラ、カムコーダ等）、ワイヤレスプリンタ、ワイヤレスホームエンターテイメントシステム（例えば、ＤＶＤ／ＣＤプレイヤー、テレビジョン、ＭＰ３プレイヤー、オーディオデバイス等）、および／または他のものを含む、幅広いさまざまな異なるデバイスタイプのうちの任意のものを含んでいてもよい。１つのコンフィギュレーションでは、例えば、システム１００は、近距離ネットワークにおいて、ユーザのパーソナルデジタルアシスタント（ＰＤＡ）およびユーザのプリンタとワイヤレスに通信している、ユーザのラップトップコンピュータを含んでいてもよい。別の可能性あるコンフィギュレーションでは、システム１００は、例えば、ユーザのリビングルーム中で、さまざまなオーディオ／ビジュアルデバイス間で形成されていてもよい。さらなる別のコンフィギュレーションでは、ユーザのラップトップコンピュータは、ユーザの近くにいる他のユーザに関係付けられている端末と通信してもよい。当業者は、他の多くのシナリオおよび／またはコンフィギュレーションも実行可能であることを認識するだろう。
【００２４】
図示されているように、ＡＰ １Ｅが、ビーコン信号１１０（または、簡単に「ビーコン」）を、システム１００の他のノードに送信してもよく、このビーコン信号１１０は、他のノードのＳＴＡ １Ａ−ＳＴＡ １Ｄが、それらのタイミングをＡＰ １Ｅと同期させるのを助けることができ、または、他の情報または機能性を提供することができる。このようなビーコンは、周期的に送信されてもよい。１つの態様では、連続的送信間の期間を、スーパーフレームと呼ぶことがある。ビーコンの送信は、多数のグループまたは間隔に区分されてもよい。１つの態様では、ビーコンは、例えば、共通クロックを設定するためのタイムスタンプ情報のような情報、ピアツーピアネットワーク識別子、デバイス識別子、能力情報、スーパーフレーム持続期間、送信方向情報、受信方向情報、隣接リスト、および／または、拡張された隣接リストのような情報を含んでいてもよいが、これらに限定されない。これらのいくつかを、以下でさらに詳細に記述する。したがって、ビーコンは、（例えば、いくつかのデバイス間で共通な（例えば、共有されている）情報と、所定のデバイスに特有な情報との両方を含んでいてもよい。
【００２５】
システム１００において、それぞれのＳＴＡ １Ａ−ＳＴＡ １Ｄが他のすべてのＳＴＡ １Ａ−ＳＴＡ １Ｄと通信できないかもしれないような態様では、ＳＴＡ １Ａ−ＳＴＡ １Ｄは、地理的領域全体にわたって分散されているかもしれない。さらに、それぞれのＳＴＡ １Ａ−ＳＴＡ １Ｄは、それにわたってそれぞれのＳＴＡ１Ａ−ＳＴＡ １Ｄが通信し得る、異なるカバレッジ領域を持っていることがある。いくつかの態様では、ＳＴＡ１Ａ−ＳＴＡ １Ｄのうちの２つ以上のものの間で、ピアツーピアネットワークが確立されてもよい。
【００２６】
いくつかの態様では、ＳＴＡは、ＡＰに通信を送るために、および／または、ＡＰから通信を受信するために、ＡＰと関係付けるように要求される。１つの態様では、関係付けるための情報は、ＡＰによるビーコンブロードキャスト中に含まれている。このようなビーコンを受信するために、ＳＴＡは、例えば、カバレッジ領域にわたって、広いカバレッジサーチを実行してもよい。サーチはまた、例えば、ライトハウス様式でカバレッジ領域をスイープすることによって、ＳＴＡによって実行されてもよい。関係付けるための情報を受信した後、ＳＴＡは、関係プローブまたは要求のような基準信号をＡＰに送信してもよい。いくつかの態様では、ＡＰは、バックホールサービスを使用して、例えば、インターネットまたは公衆電話交換ネットワーク（ＰＳＴＮ）のような、より広いネットワークと通信してもよい。
【００２７】
図２は、ワイヤレス通信システム１００内で用いてもよい、ワイヤレスノード１０２の態様を図示している。例えば、図２に関して記述したように、ＳＴＡ １Ａ−ＳＴＡ １ＤまたはＡＰ １Ｅのうちの１つ以上を実現してもよい。ワイヤレスノード１０２は、ここで記述したさまざまな方法を実現するように構成され得る、デバイスの態様である。ワイヤレスノード１０２を、ハウジング２０８内に取り付けてもよく、または、ワイヤレスノード１０２のコンポーネントは、そうでない場合には、別の構成によって互いにサポートまたはグループ化されてもよい。いくつかの態様では、ハウジング２０８または他の構成は、省略される。
【００２８】
ワイヤレスノード１０２は、ワイヤレスノード１０２の動作を制御する処理システム２０４を備えていてもよい。処理システム２０４は、いくつかの態様では、中央処理ユニット（ＣＰＵ）と呼ばれることもある。いくつかの態様では、処理システム２０４は、少なくとも、処理システム２０４の機能を実行するように構成されている回路を含んでいてもよく、または、少なくとも、処理システム２０４の機能を実行するように構成されている回路で実現してもよい。メモリ２０６は、リードオンリーメモリ（ＲＯＭ）とランダムアクセスメモリ（ＲＡＭ）との両方を含んでいてもよく、そして、揮発性または永久的であってもよく、命令およびデータを処理システム２０４に提供してもよい。メモリ２０６の一部分は、不揮発性ランダムアクセスメモリ（ＮＶＲＡＭ）も含んでいてもよい。処理システム２０４は、典型的に、メモリ２０６内に記憶されているプログラム命令に基づいて、論理的および算術的動作を実行するが、当然、他の動作を実行してもよい。処理システム２０４は、汎用マイクロプロセッサ、マイクロ制御装置、デジタルシグナルプロセッサ（ＤＳＰ）、フィールドプログラマブルゲートアレイ（ＦＰＧＡ）、プログラマブルロジックデバイス（ＰＬＤ）、制御装置、状態機械、ゲート論理、ディスクリートハードウェアコンポーネント、専用ハードウェア有限状態機械、または、情報の計算または他の操作を実行することができる他の何らかの適したエンティティのうちの任意の組み合わせで実現してもよい。メモリ２０６中の命令は、ここで記述した方法を実現するために実行可能であってもよい。付加的に、ノード１０２は、ディスクまたはメモリカードの形態のような、別のタイプのコンピュータ読み取り可能媒体を受け入れるように構成していてもよく、あるいは、ハードドライブのようなコンピュータ読み取り可能媒体に接続させてもよい。これらの別のタイプのコンピュータ読み取り可能媒体またはコンピュータ読み取り可能媒体は、実行されるときに、ここで記述した方法またはプロセスをノード１０２に実行させる命令を含んでいてもよい。
【００２９】
ワイヤレスノード１０２はまた、ワイヤレスノード１０２と遠隔位置との間での通信の送信および受信を可能にする、送信機２１０と受信機２１２を備えていてもよい。当業者は、送信機２１０および受信機２１２を組み合わせて、トランシーバ２１４にしてもよいことを認識するだろう。アンテナ２１６は、ハウジング２０８に取り付けてもよく、トランシーバ２１４に電気的に結合させてもよい。ワイヤレスノード１０２は、（示されていない）複数の送信機、複数の受信機、複数のトランシーバおよび／または複数のアンテナも備えていてもよい。
【００３０】
付加的な帯域幅または送信電力なしに、データスループットを改善させるように通信するために、ワイヤレスノード１０２における複数のアンテナを使用してもよい。送信機における高データレート信号を、異なる空間署名を持つ複数のより低いレートデータストリームに分けることによって、データスループットを改善させることを達成することができる。これにより、受信機が、これらのストリームを複数のチャネルに分離させて、このストリームを適切に組み合わせて、高レートデータ信号を復元させることが可能になる。加えて、複数のアンテナは、ビームフォーミングまたは複数の通信ビームパターンを実現する増加した能力を可能にしてもよい。いくつかの態様では、１つ以上のアンテナは、ステアリング可能である。
【００３１】
ワイヤレスノード１０２はまた、信号検出器２１８を備えていてもよく、この信号検出器２１８は、トランシーバ２１４によって受信された信号のレベルを検出して定量化するために使用してもよい。信号検出器２１８は、総エネルギー、シンボルあたりの副搬送波あたりのエネルギー、電力スペクトル密度、および他の信号のような信号を検出してもよい。ワイヤレスノード１０２はまた、信号を処理する際に使用するための、デジタル信号プロセッサ（ＤＳＰ）２２０も備えていてもよい。当然、いくつかの態様では、ＤＳＰ２２０は省略されてもよく、または、処理システム２０４によってＤＳＰの機能を実行してもよい。
【００３２】
ワイヤレスデバイス１０２のさまざまなコンポーネントは、バスシステム２２２によって一緒に結合させてもよく、このバスシステム２２２は、データバスに加えて、電力バス、制御信号バス、およびステータス信号バスを含んでいてもよい。当然、コンポーネントは、他の方法で、または、同様に他の手段を使用して、結合または電気的に接続させてもよい。
【００３３】
上述したように、上記のワイヤレスノード１０２の記述にしたがって、ＳＴＡ、ＡＰのいずれかを、または、両方を実現してもよい。いくつかの態様では、ビーコン信号を送信することができる何らかのデバイスは、ＡＰとして機能してもよい。しかしながら、いくつかの態様では、ＡＰの効率を良くするために、ＡＰはネットワーク中のすべてのＳＴＡに対して良好なリンク品質を持っていなければならないかもしれない。高い周波数で、信号の減衰が比較的激しい場合、実際には、通信は指向性であるかもしれず、ビームフォーミング（例えば、ビームトレーニング）を使用して、利得を増加させるかもしれない。したがって、効率的の良いＡＰは、より大きいセクタ境界（例えば、幅広いステアリング能力）を持つことが利益的であるかもしれない。ＡＰは、（例えば、複数のアンテナによって提供され得る）大きいビームフォーミング利得を持っていてもよく、見通し線のパスがワイヤレスシステム１００によって担当されるほとんどのエリアに存在するように据え付けられてもよく、および／または、周期的なビーコン送信と他の管理機能とに対する一定の電力供給を使用してもよい。しかしながら、たとえ、デバイスが、小さいセクタ境界に限定され得るアンテナステアリング能力、限定され得る利用可能な電力、および／または、可変であり得る位置を持っていたとしても、例えば、ピアツーピアネットワークを形成するときに、いくつかの態様では、デバイスは、ＡＰとして実行してもよい。サイドローディング、ファイル共有、および他の目的のような、さまざまな目的のために、ピアツーピアネットワークを使用してもよい。いくつかの態様では、他のすべてデバイスに効率的に送信する、および、他のすべてデバイスから効率的に受信するデバイスが存在しない場合に、ピアツーピアネットワークが生成されてもよい。
【００３４】
いくつかの態様では、ワイヤレスノード１０２には、異なる周波数トランシーバを、例えば、６０ＧＨｚトランシーバ、２．４ＧＨｚトランシーバ、５ＧＨｚトランシーバ等を持つ、マルチモード無線機が備えられている。いくつかの実施形態では、より低い周波数通信は、無指向的に実行されてもよく、より高い周波数通信は、指向的に実行されてもよい。このような態様は、例えば、通信が指向性プロトコルを使用する場合に通信を位置付けてセットアップするために無指向性プロトコルを使用し得るネットワークに有利であってもよい。
【００３５】
図３Ａ−図３Ｄは、ビームフォーミングの態様を図示している。上述したように、ワイヤレスノード１０２は、例えば、アンテナ２１６を、または、複数のアンテナを使用して、１つ以上のタイプのビームフォーミングを実現するように構成してもよい。ＡＰに関するビームフォーミングを以下で記述するが、上述したようなＳＴＡがこのようなビームフォーミングを実現してもよいことを、当業者は正しく認識するだろう。加えて、以下で記述したビームフォーミングは、送信されている信号とともに、信号が受信されるビームまたは方向のことを意味することがあることを、当業者は正しく認識するだろう。さらに、ＡＰは、送受信に関して、異なるビームフォーミングを実現してもよいことを、および／または、このような何らかのビームフォーミングを動的に調整してもよいことを、当業者は正しく認識するだろう。また、ビームフォーミングは、予め定められていてもよい。
【００３６】
クアジオムニ（quasi-omni）パターンという用語は、一般的には、デバイスのまわりの関心ある空間の領域の大変広いエリアをカバーする、最低の分解能パターンのことを意味する。例えば、図１中のＡＰ １Ｅによって図示されているような、または、図２中で図示されているように実現されるようなＡＰは、場合によっては、オーバーラップしている、クアジオムニパターンの最小セットで、関心ある空間の領域をカバーしてもよい。ＡＰが全部に対応している（omni-capable）ことを示している１つのクアジオムニパターンだけで、関心ある空間領域をＡＰがカバーすることができることを、１に等しいセットサイズは示してもよい。クアジオムニ送信および受信パターンは、Ｑnによって識別されてもよく、ここでｎは、各方向を表している。ビームがオーバーラップしているかもしれないことを、そして、別個のｎによって示されているそれぞれの方向は異なったものである必要はないことを、当業者は正しく認識するだろう。図３Ａ中では、２つのおおよそ等しいパターンを持つビームパターンを図示している。この態様では、ｎ＝２である。
【００３７】
当然、クアジオムニパターンに関して記述したよりも、より狭いアジマスを持つビームを使用してもよい。クアジオムニパターンで使用されるビームと比較して、より大きな利得および増加した信号対ノイズ比（ＳＮＲ）によって、このようなより狭いビームは、それぞれのビームを特徴付けることができることから有利である。これは、特に、高い信号フェーディングまたは減衰を経験するシステムに有利である。
【００３８】
図３Ｂは、アジマスが、クアジオムニパターンに関して記述したよりもより狭い場合のビームフォーミングの態様を図示している。この送信および受信パターンは、Ｓ0−Ｓ5によって識別される。図３中で見ることができるように、ＡＰによって形成されるビームは、オーバーラップすることがある。当然、このビームパターンは、オーバーラップしないビームを含んでいてもよい。上述したように、ビームが指している方向を変更するように、ＡＰを構成してもよい。したがって、図３Ｂ中のＡＰは、最初にビームＳ1を通して、その後ビームＳ2等を通して、通信を送る、および／または、受信してよい。いくつかの態様では、ＡＰは、連続的な方向でビームを指して、完全なサイクルを形成する（すなわち、順番で方向０−５を指して、その後、再び、０において始まる）ように方向を変更する必要はない。代わりに、ＡＰは、任意の順番で方向を変更してもよく、または、指す方向をランダムに選択してもよい。
【００３９】
図３Ｃおよび図３Ｄは、さらにより狭いビームを持つ態様を図示している。図３Ｃは、１６個の方向、Ｂ0−Ｂ15を持つビームパターンを示しており（図では、これらの方向の半分、Ｂ0−Ｂ7だけ、番号が付けられており）、図３Ｄは、３２個の方向、Ｈ0−Ｈ31を持つビームパターンを示している（図では、これらの方向の半分、Ｂ0−Ｂ15だけ、番号が付けられている）。より狭いビームは、上記で説明した利点を提供することができるが、付加的なオーバーヘッド情報も必要とすることがある、または、ビームの方向を変更するのに付加的な時間を必要とすることがある。したがって、使用するビームの数を選択するとき、必要なオーバーヘッドを考慮する必要があることがある。実質的に対称的であるようにビームを図示したが、ビームの形状、サイズ、および／または、分散は、変わってもよい。
【００４０】
複数のビームの比較的広いエリアをカバーする第２のレベルの分解能パターンのことを指すために、一般的に、セクタという用語を使用することがある。セクタは、連続的なビームおよび連続的でないビームのセットをカバーすることができ、異なるセクタは、オーバーラップすることがある。ビームは、高レベルの分解能パターンとして、高分解能（ＨＲＳ）ビームにさらに区分することができる。
【００４１】
それぞれのレベルが、アンテナパターンのセットを使用してもよい場合に、クアジオムニパターン、セクタ、ビーム、およびＨＲＳビームのマルチ分解能の定義は、マルチレベルの定義になるかもしれない。したがって、クアジオムニパターンは、第１のセットのアンテナパターンを表してもよく、セクタは、第２のセットのアンテナパターンを表してもよく、ビームは、第２のセットのアンテナパターンから得られることが好ましい、第３のセットのアンテナパターンを表してもよく、ＨＲＳビームは、第３のセットのアンテナパターンから得られることが好ましい、第４のセットのアンテナパターンを表してもよい。
【００４２】
図４は、以前に上述したような、スーパーフレーム構造の態様を図示している。スーパーフレーム４００は、ビーコン間隔４０２と、アクセス期間４０４と、チャネル時間割り振り期間（ＣＴＡＰ）４０６とを含んでいてもよい。ＣＴＡＰ４０６は、複数のチャネル時間割り振り（ＣＴＡ）４０８を含んでいてもよい。
【００４３】
いくつかの態様では、ＡＰが、例えば、ＡＰ １Ｅ、または、図２に関して記述したように実現されるＡＰが、ビーコン間隔４０２の間に、ビーコンをブロードキャストする。ＡＰの通信エリア内のワイヤレスデバイスが、例えば、ＳＴＡ １Ａ−ＳＴＡ １Ｄが、ビーコンを確実に受信するように、ＡＰは、多数の方法のうちの任意のものを使用して、そのビーコンをブロードキャストしてもよい。例えば、図３Ａ中で図示されているように、例えば、ＡＰが、実質的に無指向パターンで、または、クアジオムニパターンでブロードキャストするように構成されているとき、ＡＰは、例えば、図３Ａ中で図示されているビームパターンＱ0およびＱ1を使用して、方向１および２のそれぞれに、単一のビーコンのみをブロードキャストしてもよく、または、２つのビーコンをブロードキャストしてもよい。例えば、図３Ｂ−３Ｄ中で図示されているように、ＡＰが、より狭いビームを使用して、ビーコンをブロードキャストするときに、ＡＰは、ビーコン間隔４０２の間に、ビーコンを複数の方向に交互にブロードキャストしてもよい。したがって、ＡＰは、ビーコン間隔の間に一度ビーコンを送信してもよく、または、ＡＰは、ビーコン間隔の間に数回ビーコンを送信してもよいことを、当業者は正しく認識するだろう。ＡＰが、図３Ｂ中で図示されているビームパターンを利用するとき、例えば、ビーコン間隔４０２を６個の期間に区分してもよく、ＡＰは、各期間の間に、方向０−５のそれぞれにビーコンを送信してもよい。
【００４４】
１つ以上のワイヤレスデバイスから、例えば、ＳＴＡ １Ａ−ＳＴＡ １Ｄから、通信を、例えば、受信機２１２とアンテナ２１６とを通して受信するようにＡＰが割り振った時間期間を、アクセス期間４０４は含んでいてもよい。この時間の間に受信した通信は、任意の数の異なるタイプの通信を含んでいてもよい。例えば、通信は、ＳＴＡ １Ａ−ＳＴＡ １Ｄのうちの１つから送信された制御情報を含んでいてもよい。制御情報は、この他の情報の中で、送信ＳＴＡを識別する情報を、送信ＳＴＡによってサポートされる変調スキームを、送信ＳＴＡが記憶して送信するのを望むデータ量を、または、送信ＳＴＡの利用可能性を含んでいてもよい。通信は、ＳＴＡからの要求メッセージ送信も含んでいてもよい。要求メッセージは、送信ＳＴＡが送信するデータを持っていることを示し、データを送信する時間を要求する情報を含んでいてもよい。さらに、通信は、送信ＳＴＡをＡＰと関係付けることを要求する、関係プローブを含んでいてもよい。
【００４５】
ＣＴＡＰ ４０６は、例えば、アクセス期間４０４または以前のアクセス期間の間に受信した、制御情報または要求メッセージに応答して、例えば、受信機２１２とアンテナ２１６とを通して１つ以上のワイヤレスデバイスからデータを受信するようにＡＰが割り振った期間を含んでいてもよい。ＡＰは、例えば、処理システム２０４を使用して、そこからＣＴＡＰ４０６の間にデータを受信する、複数のワイヤレスデバイスを、例えば、複数のＳＴＡ １Ａ−ＳＴＡ １Ｄを指定してもよい。加えて、ＡＰは、ＣＴＡＰの間に期間を指定してもよく、このＣＴＡＰの間に、ＡＰは、特定のＳＴＡからデータを受信するだろう。この期間は、ＣＴＡ４０８によって表されてもよい。したがって、ＳＴＡは、ビーコンに応答して要求メッセージを送ることによって、所定のＣＴＡの間にデータを送信するようにスケジューリングされてもよい。
【００４６】
図５は、ワイヤレスシステム中で、例えば、図１中で図示されているシステム１００中で通信する方法５００の態様を図示している。例えば、以下で記述するように、図４に関して記述したスーパーフレーム４００にしたがって通信するために、方法５００を利用してもよい。当業者は、他の通信のために同様に方法５００も使用してよいことを認識するだろう。
【００４７】
ステップ５０２において、ＡＰが、ビーコン間隔４０２の間にビーコンを送信する。先に説明したように、ＡＰは、例えば、送信機２１０とアンテナ２１６とを利用して、ビーコンを送信してもよい。いくつかの態様では、ビーコンは、アクセス期間４０４に関する情報を含み、このアクセス期間４０４中に、通信は、ＡＰによって受信されるだろう。ステップ５０４において、ＳＴＡが、例えば、受信機２１２とアンテナ２１６とを使用してビーコンを受信する。これに応答して、ＳＴＡは、制御情報、要求メッセージ、アクセスプローブ、または他の通信をＡＰに送る。図５中で図示されている態様では、ＳＴＡが、要求を、例えば、上述したような要求メッセージをＡＰに送る。ビーコンがアクセス期間４０４に関する情報を含む態様では、ＳＴＡがアクセス期間４０４の間に要求を送信する。ステップ５０６において、ＡＰが、その要求を受信して、これに応答して、情報を送信または受信するために、ＣＴＡ４０８の表示をＳＴＡに割り振って送信する。ステップ５０８において、ＳＴＡが、ＣＴＡ４０８の表示を受信し、ＣＴＡ４０８の間に、情報を、例えば、ＡＰに送信する、または、ＡＰから受信する。
【００４８】
上述したように、ＡＰが、複数のビーム方向を通して、情報を送信および受信してもよい。したがって、アクセス期間４０４の間、ＡＰは、受信ビームの方向をシフトさせるように構成していてもよい。ビームをフォーミングすること、および／または、ビームをステアリングすることを、ビームフォーミングと呼んでもよい。単一のアンテナエレメント、セクタ化されたアンテナ、切り替えアンテナ、ならびに１次元（１−Ｄ）および２次元（２−Ｄ）アンテナアレイのような多数のアンテナのコンフィギュレーションは、ビームフォーミングをサポートすることができる。当業者は、例えば、図２中で記述したコンポーネントを利用して、ＡＰにおいて、適切なビームフォーミングをどのように実現するかを理解するだろう。１つの態様では、処理システム２０４が、アンテナ２１６を制御して、ビームフォーミングを実現してもよい。
【００４９】
ＡＰの通信エリアにおけるＳＴＡから、アクセス期間４０４の間に通信を受信するために、ＡＰは、アクセス期間４０４の間に、１つ以上の受信ビーム方向からの通信を受信するように構成していてもよい。このような態様では、アクセス期間４０４は、１つ以上の区分を含んでいてもよく、この区分の間に、通信が、各受信ビーム方向を通して受信されるだろう。例えば、ＡＰが、図３Ｂ中で図示されているビームパターンを利用するとき、アクセス期間４０４は６個の区分を含んでいてもよく、ＡＰは、各区分の間に、受信ビーム方向０−５のそれぞれを通して通信を受信してもよい。
【００５０】
いくつかの態様では、アクセス期間のそれぞれの区分は、おおよそ、等しい。このような区分の間、多数のＳＴＡが、通信をＡＰに送信しようと試行するかもしれない。しかしながら、複数の通信が、類似した時間に送信されときには、通信は衝突するかもしれず、ＡＰは通信のうちの１つ以上を適切に受信することができないかもしれない。多数のＳＴＡが、類似した受信ビーム方向に位置付けられているときに、この問題は悪化される。このコンフィギュレーションは、ＳＴＡによって送られる通信が、その受信ビーム方向に対するアクセス期間の間に衝突するだろう可能性を増加させる。例えば、図１７が、異なる数量の送信ＳＴＡに対するコンテンションアクセス期間（ＣＡＰ）内に、チャネル時間要求（ＣＴＲｑ）が受信されるだろう可能性を図示している。図１８は、チャネル時間要求が受信されるだろう可能性を図示しており、ここでは、図示されているように、ＣＴＲｑの可能性は異なっており、受信ビーム方向中に５つのＳＴＡが位置付けられていると仮定している。これらの図面は、会議室において実現されるシステムについてのデータを図示している。
【００５１】
図６は、複数の受信ビーム方向０−５に位置付けられているＳＴＡ６Ａ−ＳＴＡ ６Ｆを持つ、システム６００の態様を図示している。システム６００では、ＡＰによって利用される受信ビームパターンＳ0−Ｓ5は、図３Ｂの受信ビームパターンＳ0−Ｓ5に関して記述されている受信ビームパターンに類似している。図６中で図示されているＡＰと同様に、ＳＴＡ ６Ａ−ＳＴＡ ６Ｆのうちの１つ以上は、図２に関して記述されているように実現してもよい。
【００５２】
図６中で見ることができるように、ＳＴＡ ６Ａ−ＳＴＡ ６Ｃが受信ビーム方向０中に位置付けられており、ＳＴＡ ６Ｄが受信ビーム方向２中に位置付けられており、ＳＴＡ ６ＥおよびＳＴＡ ６Ｆが受信ビーム方向３中に位置付けられている。受信ビーム方向１、４、および５中に位置付けられているとして図示されているＳＴＡは存在しない。より多い、または、より少ない数のＳＴＡがシステム６００内に位置付けられていてもよいこと、そして、任意の多数のコンフィギュレーションでは、ＳＴＡが受信ビーム方向の間で分散されることがあることを、当業者は認識するだろう。加えて、図６中で図示されている受信ビームパターン以外に、他の受信ビームパターンを利用してもよい。
【００５３】
上述したように、アクセス期間４０４は、６個の期間に区分してもよく、例えば、ＡＰは、区分のうちの各１つにおいて、受信ビーム方向０−５のそれぞれから通信を受信してもよい。したがって、ＡＰは、ある区分ではＳＴＡ ６Ａ−ＳＴＡ ６Ｃのうちの任意のものから、別の区分ではＳＴＡ ６Ｄから、さらに別の区分ではＳＴＡ ６ＥおよびＳＴＡ ６Ｆから通信を受信してもよい。しかしながら、受信ビーム方向０に対応している区分の間に通信を受信しているときには、ＳＴＡ ６Ａ−ＳＴＡ ６Ｃから送信された通信は、衝突するかもしれず、ＡＰによる適切な受信が抑制されるかもしれない。いくつかの態様では、肯定応答の何らかのフォームがＡＰから受信されない場合には、再度通信を送信するように、ＳＴＡを構成してもよい。いくつかの態様では、アクセス期間４０４の各区分に残っている十分な時間があるときには、ＳＴＡは、このような再送のみを試行してもよい。
【００５４】
１つの態様では、ＡＰは、アクセス期間４０４の間に時間を割り振り、受信ビーム方向中に位置付けられていることが知られている装置に関する情報に少なくとも部分的に基づいて、受信ビーム方向のうちの１つ以上からの通信を受信するように構成される。衝突が原因でＡＰが適切に通信を受信することができない可能性を減少させるように、時間が割り振られてもよい。
【００５５】
図７は、通信システムにおいて、例えば、システム６００において時間を割り振る方法７００の態様を図示している。通信を受信する、何らかのデバイスによって、例えば、システム６００中で図示されているＡＰによって、方法７００は実行されてもよい。ＡＰに関して方法７００および他の方法を記述することがあるが、ここで記述した方法７００および他の方法は、通信を受信する何らかのノードまたはデバイスによって使用されてもよいことを、当業者は正しく認識するだろう。
【００５６】
ブロック７０２において、ＡＰが、信号を送信する。例えば、ＡＰは、アクセス期間４０４を示している信号をブロードキャストしてもよい。送信された信号に応答して、ブロック７０４において、ＡＰが、１つ以上の装置から通信を受信する。例えば、ＡＰは、関係プローブまたは要求メッセージを受信してもよい。ブロック７０６において、ＡＰが、受信ビーム方向を含むデータ構成を更新する。データ構成は、例えば、何らかの装置が受信ビーム方向のそれぞれに位置付けられているか否か、受信ビーム方向における装置の数量、または、受信ビーム方向のそれぞれに位置付けられている装置のデバイスＩＤ、に関する情報を含んでいてもよい。
【００５７】
受信ビーム方向は、ＡＰに知られており、または、ＡＰの処理システム２０４によって動的に決定されてもよい。装置が受信ビーム方向中にあると知られていることに関する情報は、ブロック７００４における受信に基づいて決定されてもよい。例えば、ＡＰは、受信ビーム方向を通して受信される通信に基づいて、データ構成中に、先に開示したような情報を記録してもよい。１つの態様では、ＡＰは、受信ビーム方向中に位置付けられている装置を識別するために、ビーム追跡の方法を実行してもよい。これらの装置が、その後、受信ビーム方向のそれぞれに位置付けられているとしてＡＰに知られるだろう。当業者は、ビーム追跡の方法を認識するだろう。
【００５８】
データ構成は、受信ビーム方向に関する任意の記憶された情報を含んでいてもよい。１つの態様では、データ構成は、データベース中に記憶されている。別の態様では、データ構成は、リストまたは表として記憶されている。例えば、データ構成は、そこに装置が位置付けられていることが知られている受信ビーム方向のリストとして記憶されてもよい。システム６００中のＡＰによってリストが実現された場合に、リストの態様は、以下の形態を取ってよい。  
【表１】
0005937182.tif 000002
【００５９】
上記で具現化されるデータ構成は、装置が、受信ビーム方向０、２、および３のそれぞれに位置付けられていることを識別する。先に説明したように、ＳＴＡ ６Ａ−ＳＴＡ ６Ｆは、システム６００では、これらの受信ビーム方向中に位置付けられている。
【００６０】
別の例として、データ構成は、受信ビーム方向を、受信ビーム方向における装置の数量と相関させる表として記憶されてもよい。システム６００におけるＡＰによってリストが実現される場合、表の態様は、以下の形態を取ってもよい。  
【表２】
0005937182.tif 000003
【００６１】
上記で具現化されるデータ構成は、３つの装置が受信ビーム方向０中に位置付けられていること、１つの装置が受信ビーム方向２中に位置付けられていること、そして、２つの装置が受信ビーム方向３中に位置付けられていることを識別する。先に説明したように、システム６００では、ＳＴＡ ６Ａ−ＳＴＡ ６Ｃが受信ビーム方向０中に位置付けられており、ＳＴＡ ６Ｄが受信ビーム方向２中に位置付けられており、ＳＴＡ ６ＥおよびＳＴＡ ６Ｆが受信ビーム方向３中に位置付けられている。上記の表は、そこに位置付けられている装置がない受信ビーム方向に関する情報を記憶しているが、表は、このデータを省略してもよい。
【００６２】
さらに別の例として、データ構成は、装置のデバイスＩＤを、受信ビーム方向と相関させる表として記憶されていてもよい。システム６００におけるＡＰによってリストが実現される場合、表の態様は、以下の形態を取ってもよい。  
【表３】
0005937182.tif 000004
【００６３】
上記で具現化されるデータ構成は、システム６００では、ＳＴＡ ６Ａ−ＳＴＡ ６Ｃのそれぞれが受信ビーム方向０中に位置付けられていること、ＳＴＡ ６Ｄが受信ビーム方向２中に位置付けられていること、そして、ＳＴＡ ６ＥおよびＳＴＡ ６Ｆのそれぞれが受信ビーム方向３中に位置付けられていることを識別する。デバイスＩＤは、装置を識別するために使用され得る、任意の数の識別子を含んでいてもよい。例えば、デバイスＩＤは、シリアル番号、電話番号、移動体識別番号（ＭＩＮ）、電子シリアル番号（ＥＳＮ）、国際移動体機器識別子（ＩＭＥＩ）、国際移動体加入者識別子（ＩＭＳＩ）、または、装置を識別するために使用され得る他の何らかの識別子を含んでいてもよい。当業者は、ここでの教示にしたがって実現され得る、他のデータ構成を認識するだろう。
【００６４】
いくつかの態様では、装置がＡＰによって位置付けられていることが知られている受信ビーム方向内で、その装置は物理的に位置付けられていないかもしれない。これらの態様では、例えば、信号反射またはマルチパスが原因で、その装置自体が、実際には、別の受信ビーム方向中に物理的に位置付けられているのに、ＡＰは、その装置が位置付けられていることが知られている受信ビーム方向を通して、その装置から通信を受信するかもしれない。例えば、システム６００におけるＳＴＡ ６Ｃは、実際には、方向５中に位置付けられているかもしれないが、ＳＴＡ ６ＣとＡＰとの間の障害が、通信にバウンスさせたり、受信ビーム方向０から通信を受信させたりするので、ＡＰは、受信ビーム方向０を通して、ＳＴＡ ６Ｃから通信を受信するかもしれない。したがって、いくつかの態様では、装置が位置付けられていることが知られている方向は、その装置からの通信が受信される方向のことを指すことがある。
【００６５】
図７に戻ると、ＡＰが、受信ビーム方向のうちの少なくとも１つ中に位置付けられていることが知られている装置のうちの１つ以上に対して、時間の割り振りを送信してもよい。時間の割り振りは、ＡＰの処理システム２０４によって決定されてもよく、任意の数の方法を利用して決定されてもよい。いくつかの態様では、時間の割り振りは、ビーコン中に送信されてもよく、その間にＡＰが装置のうちの１つ以上から通信を受信するだろうアクセス期間４０４の区分のことを指すことがある。方法７００は、任意の回数、反復されてもよい。データ構成は、それぞれの通信に基づいて継続的に更新されてもよく、ＡＰ受信機、すなわちＡＰは、選択時間に、例えば、アクセス期間ごとの終わりに、または、５個のスーパーフレームごとに、データ構成を更新してもよい。当業者は、データ構成をフォーミングおよび更新する他の方法およびスケジュール、ならびに、時間の割り振りを送信する他の方法およびスケジュールを認識するだろう。
【００６６】
図８は、方法７００から決定された情報にしたがった、例えば、システム６００において使用されるビームフォーミングの態様を図示している。この態様では、それぞれの知られている装置において、単一の受信ビームがターゲットとされるように、処理システム２０４が、ビームパターンを決定する。図８中で見ることができるように、ＡＰが、受信ビーム方向０−８を通して通信を受信する。図８中で図示されている態様では、ＳＴＡ ６Ａ−ＳＴＡ６Ｃ、ＳＴＡ ６Ｅ、およびＳＴＡ ６Ｆのそれぞれからの通信が別個の受信ビーム方向を通して受信されるように、受信ビーム方向０および３が分けられている。ＳＴＡ ６Ａからの通信は、受信ビーム方向０を通して受信される；ＳＴＡ ６Ｂからの通信は、受信ビーム方向１を通して受信される；ＳＴＡ ６Ｄからの通信は、受信ビーム方向２を通して受信される；ＳＴＡ ６Ｅからの通信は、受信ビーム方向５を通して受信される；ＳＴＡ ６Ｆからの通信は、受信ビーム方向６を通して受信される。
【００６７】
この方法でビームを形成することは、例えば、狭くされたビームにより、ＳＴＡのそれぞれから受信された通信のＳＮＲを増加させることがある。このことは、特に、例えば、ミリメータ波を実現するシステムにおいて起こることがある、信号が劣化する傾向があるシステムに有利である。加えて、他の装置からの通信はＡＰによって認識されないかもしれないので、特に単一の装置にビームを向けることにより、衝突を減少させることができる。先に説明したデータ構成は、装置の位置に関する、さらなる特定の情報を記憶してもよく、新しいビームを反映させるように更新してもよい。
【００６８】
したがって、ビーム幅が、通信の、信頼性および／または品質に影響を与えることがある。例えば、図１４では、相対的なＳＮＲとビーム幅との比較を示しており、異なる電力半値帯域（ＨＰＢＷ）に対して、ＡＰにおいて観測されるＳＮＲのプロットを図示している。ここで、ＳＴＡとＡＰとの間には見通し線は存在しない（ＮＬＯＳ）。図１５は、異なるビーム幅に対してＡＰにおいて受信されるような最良の受信ビームインデックスのヒストグラムを図示しており、ここでは、ＳＴＡとＡＰとの間には見通し線は存在しない。図１６は、異なる電力半値帯域に対して、ＡＰにおいて受信されるような、最良の受信ビームインデックスのヒストグラムを図示しており、ここでは、ＳＴＡとＡＰとの間には見通し線が存在する。
【００６９】
受信ビームが指されるだろう方向は、ビーコン中で送信されてもよい。加えて、ＡＰが受信ビーム方向を通して通信を受信するだろう持続期間は、ビーコン中に含まれていてもよい。他の態様では、例えば、共通のアルゴリズムにしたがって送信された受信ビーム方向に基づく受信ビーム方向からの通信をＡＰがいつ受信するかを、ＳＴＡが決定してもよい。したがって、ＡＰによって送信される、時間の割り振りは、受信ビーム方向によって示されてもよく、この受信ビーム方向は、ＡＰが、時間期間の間に、装置の受信ビーム方向を通して通信を受信するだろうことを装置に示してもよい。
【００７０】
先に説明したように、ＡＰは、代わりに、例えば、図６中で図示されているように、単一の受信ビーム方向を通して複数の装置から通信を受信することがある。いくつかの態様では、そこに少なくとも１つの装置が位置付けられていることが知られている受信ビーム方向を通して通信が受信されるように、ＡＰは、受信ビーム方向をシフトのみさせてもよい。図８に関して上述した態様に類似して、そこから通信が受信されるだろう受信ビーム方向は、ビーコン中で送信されてもよい。この態様では、そこに装置が位置付けられていることが知られている受信ビーム方向からのみＡＰが通信を受信するように、アクセス期間４０４を区分してもよい。
【００７１】
図９は、図４中で図示されている、アクセス期間４０４の態様４０４ａを図示している。アクセス期間４０４ａは、そこに装置が位置付けられていることが知られている受信ビーム方向のみを通して通信を受信する区分を持っている。図９は、システム６００中で通信を受信するように構成されているアクセス期間４０４ａを示している。したがって、図９中で図示されているアクセス期間４０４は、受信ビーム方向０、２、および３を通して通信を受信する区分を持っている。これらの区分を、図９では、それぞれ、アクセス期間０、アクセス期間２、およびアクセス期間３と呼ぶ。
【００７２】
アクセス期間０およびアクセス期間２の間に、ＡＰが、複数のＳＴＡから通信を受信するかもしれない。ＡＰによってＳＴＡの通信を受信させるために、ＳＴＡは、これらの期間に競合する必要があるかもしれないという事実によって、これらの期間を、コンテンションアクセス期間（ＣＡＰ）と呼ぶことがある。アクセス期間０、２、および３は、大体同じサイズであるように示されているが、長さまたは持続期間的には同一である必要はない。
【００７３】
図１０は、アクセス期間４０４の別の態様４０４ｂを図示している。アクセス期間４０４ｂは、そこに装置が位置付けられていることが知られている受信ビーム方向を通して通信を受信する区分を持つ。加えて、アクセス期間４０４ｂは、何らかのある方向から通信を受信するために予約されていないコンテンションアクセス期間を持っており、この期間を、図１０では、汎用コンテンションアクセス期間と呼ぶ。この時間の間に、ＡＰは、任意の数の方向における装置から、例えば、ＡＰのデータ構成中にＳＴＡが含まれるように関係プローブを送信するＳＴＡから通信を受信してもよい。ＡＰは、この時間の間に、システム６００における受信ビーム方向０−５のそれぞれから、または、方向０−５のサブセットのみから、通信を受信してもよい。汎用コンテンションアクセス期間はまた、特定の受信ビーム方向に対応しているそれぞれのアクセス期間の間にインターリーブされてもよい。アクセス期間のそれぞれの持続期間は、変わることがある。
【００７４】
いくつかの態様では、アクセス期間のそれぞれの長さまたは持続期間は、アクセス期間に関係する各受信ビーム方向中に位置付けられていることが知られている装置の、数または数量に基づいている。上述したように、いくつかの態様では、受信ビーム方向中に位置付けられていることが知られている何らかの装置が存在するか否かが、持続期間がゼロである（すなわち、その受信ビーム方向から受信されるだろう通信が存在しない）か否かを、または、持続期間がゼロよりも大きいか否かを決定するだろう。いくつかの態様では、受信ビーム方向中に位置付けられていることが知られている装置の数が多ければ多いほど、対応するアクセス期間は長くなるだろう。したがって、システム６００では、受信ビーム方向０中に位置付けられていることが知られている装置は３つ存在しており、受信ビーム方向３中に位置付けられていることが知られている装置は２つ存在しており、受信ビーム方向２中に位置付けられていることが知られている装置は１つ存在しているので、図９では、アクセス期間０は、アクセス期間３よりも長くなり、次に、アクセス期間３は、アクセス期間２よりも長くなるだろう。
【００７５】
図１１は、アクセス期間４０４の態様４０４ｃを図示している。アクセス期間４０４ｃにおけるアクセス期間０、２、および３のそれぞれは、対応する受信ビーム方向におけるＳＴＡの数に比例している持続期間を持つように図示している。加えて、図１１では、アクセス期間０、２、および３間でインターリーブされる受信ビーム方向１、４、および５のそれぞれに対するアクセス期間を持つような、アクセス期間４０４ｃを図示している。図示されている態様では、アクセス期間１、４、および５のそれぞれは、アクセス期間０、２、および３のうちのいずれのものよりも、より短い。いくつかの態様では、ＡＰは、アクセス期間０、２、および３における知られているＳＴＡから要求を受信するように構成され、アクセス期間が割り振られてからシステムに入った装置から、通信を受信するようにさらに構成されている。アクセス期間がアクセス期間４０４内に生じる順序が変わってもよいことを、当業者は正しく認識するだろう。例えば、アクセス期間１、４、および５は、アクセス期間０、２、および３とインターリーブされる必要はない。代わりに、アクセス期間１、４、および５のそれぞれのすべては、アクセス期間０、２、および３の後に生じるようにスケジューリングされてもよい。
【００７６】
いくつかの態様では、所定の受信ビーム方向から通信を受信するアクセス期間は、連続しない。例えば、図１２は、アクセス期間４０４の態様４０４ｄを図示しており、このアクセス期間４０４では、アクセス期間０および３は、それぞれ、複数のサブ期間に分けられており、それぞれ、サブ期間０およびサブ期間３とラベル付されている。サブ期間のそれぞれの持続期間は変わってもよいことを、当業者は理解するだろう。図１２中で図示されている態様では、それぞれのサブ期間は、おおよそ、サイズが等しい。１つの実施形態では、単一のＳＴＡから通信を受信するサブ期間の間に十分な時間があるように、それぞれのサブ期間の持続期間が割り振られる。この態様では、所定の受信ビーム方向に対するアクセス期間は、多数のサブ期間に分けられていてもよく、このアクセス期間は、その受信ビーム方向中に位置付けられていることが知られている装置の数に相当する。したがって、図１２中で見ることができるように、受信ビーム方向０に対するアクセス期間は、３つのサブ期間０に分けられており、受信ビーム方向３に対するアクセス期間は、２つのサブ期間３に分けられている。図１１に関して記述したように、受信ビーム方向１、４、および５のそれぞれに対するアクセス期間も図示しているが、これらのアクセス期間は、省略してもよい。アクセス期間１、４、および５は、アクセス期間２と、ならびに、サブ期間０および３とサイズが大体同じであるように示されているが、これらの期間のそれぞれの持続期間は変わることがある。
【００７７】
いくつかの態様では、そこからＡＰが通信を受信するだろうそれぞれの方向は、時間または時間の持続時間の表示であるように、ビーコン中で送信される。その時間または時間の持続時間の間にＡＰは、その受信ビーム方向を通して通信を受信するだろう。いくつかの態様では、受信ビーム方向中に位置付けられていることが知られている装置の数がビーコン中で送信され、それぞれのＳＴＡが、その数から、時間を、または、時間の持続期間を計算してもよい。当業者は、変わる、時間の持続期間を通信する他の方法を認識するだろう。変わる持続期間を持つアクセス期間は、上述した、汎用コンテンションアクセス期間と組み合わせて使用してもよい。
【００７８】
図１３は、アクセス期間４０４ｅの別の態様を示しており、ここでは、それぞれの知られている装置から通信を受信する一意的な時間が割り振られている。この態様では、ＡＰは、アクセス期間４０４のそれぞれの区分の間に、単一の装置からだけの通信を受信するように構成されている。区分は、アルファベット順に順序付けられているように示されているが、特定の順序は要求されない。いくつかの態様では、例えば、互いに近くに位置付けられている装置が、一時的に近い区分に割り振られるように、区分は、装置のそれぞれの位置にしたがって順序付けられる。装置は、それぞれの区分の間の通信に対してスケジューリングされるので、これらの区分を、スケジューリングされたアクセス期間と呼んでもよい。
【００７９】
信号を送信しなかった装置に割り振られた区分の間に信号が認識された場合に、アンテナ２１６によって認識された信号が、受信機２１２、信号検出器２１８、および／または処理システム２０４によって無視されるように、ＡＰを構成してもよい。例えば、ＡＰは、システム６００では、受信ビーム方向０を通して、ＳＴＡ ６Ａ−ＳＴＡ ６Ｃのうちのいずれかのものから通信を受信してもよい。ＳＴＡ ６Ｃが、ＳＴＡ ６Ｂに割り振られたアクセス期間４０４ｅの区分の間に信号を送信した場合、ＡＰが信号を無視するかもしれない。
【００８０】
知られている装置を識別する情報、または、知られている装置から通信が受信されるだろう順序と同様に、知られている装置のそれぞれから通信を受信する時間は、ビーコン中で送信されてもよい。情報は、例えば、上述したように、デバイスＩＤを含んでいてもよい。ＡＰは、例えば、処理システム２０４を利用して、何らかの区分、アクセス期間、および／または、この持続期間を決定するように構成してもよい。
【００８１】
上述したように、ＡＰは、例えば、アクセス期間４０４の間に、１つ以上の装置から要求メッセージを受信してもよい。要求メッセージは、上述した、ＣＡＰまたはスケジューリングされたアクセス期間の間に受信されてもよい。いくつかの態様では、ＡＰは、同様に、他の時間に要求メッセージを受信してもよい。また、上述したように、要求メッセージは、送信ＳＴＡが送信するデータを持つことを示しており、データを送信するための時間を要求する情報を含んでいてもよい。ＡＰが、特定のＳＴＡから非常に多くの要求メッセージを受信した場合、これは、ＳＴＡが送信する大量のデータを持つことを、あるいは、サービスの品質を維持するために、または、他のこのような理由のために、頻繁に送信しなければならないことを、示す表示であってもよい。
【００８２】
いくつかの態様では、ＡＰは、アクセス期間４０４の付加的な一部分を、または、この間にＡＰが、大量の要求メッセージを送信したＳＴＡから通信を受信するだろう他の付加的な時間を割り振ってもよい。例えば、ＡＰは、それぞれのＳＴＡから受信した要求メッセージの数を追跡またはカウントしてもよく、そして、ＡＰによって受信された要求メッセージの数がしきい値より上回っているときに、ＳＴＡから通信を受信する付加的な時間を割り振ってもよい。しきい値は、予め定められていてもよく、または、任意の数のファクタに基づいて、ＡＰによって決定されてもよい。いくつかの態様では、付加的な一部分または時間に対する、割り振りまたは他のインジケータは、ビーコン中で送信される。いくつかの態様では、付加的な一部分または時間の割り振りは、ＣＴＡＰ４０６の間に、または、送信許可メッセージに割り振られたアクセス期間４０４の一部分の間に通信されてもよい。いくつかの態様では、ＡＰは、ＳＴＡから受信した要求メッセージの数がしきい値よりも多いときに、スティッキー割り当てをＳＴＡに割り振るように構成される。当業者は、スティッキー割り当てを、割り当てる、および／または、割り振る方法を認識するだろう。
【００８３】
図９−図１３に関して上述した、アクセス期間４０４の態様のうちの２つ以上を組み合わせてもよいことを、当業者は正しく認識するだろう。例えば、アクセス期間４０４は、対応するビーム方向中に位置付けられていることが知られている装置の数に比例している持続期間を持つ複数のアクセス期間を含んでいてもよく、そのビーム方向におけるそれぞれの装置には、各受信ビーム方向に対するアクセス期間の間に、スケジューリングされたアクセス期間が割り振られる。受信ビーム方向のうちの１つに対するアクセス期間が、連続するかもしれない一方で、受信ビーム方向の別のものに対するアクセス期間は、連続しないかもしれない。当業者は、ここでの教示が、ここで記述した特定の態様を何ら限定するものではないことを理解するだろう。
【００８４】
特定の装置からの通信を受信するビームを形成すること、アクセス期間の持続期間を変えること、または、それぞれの知られている装置から通信を受信する一意的な時間を割り振ることにより、衝突の可能性を減少させることができ、および／または、装置からの通信を受信する信頼性を向上させることができる。しかしながら、いくつかの態様では、例えば、１つのビーコンまたは複数のビーコン中で、このような情報を送信することにより、システムにおいて必要とされるオーバーヘッドを増加させることがあり、または、システム内で位置付けられている装置と通信するのに必要とされる時間を増加させることがある。しかしながら、ここで記述した、方法、ビーコン、スキーム、および他のストラテジを利用することにより、十分に低い送信コストを保ちながら通信を受信する際に利点を提供することができる。以下の表は、実現するシステムの必要とされるオーバーヘッドに関して、チャネル時間要求（ＣＴＲｑ）の、異なっている数と可能性とに関係するいくつかの値を示している。以下の表中で見ることができるように、ここでの教示にしたがって実現される方法は、受け入れ可能なレベルのオーバーヘッドコストをもたらす。例えば、以下の表中で見ることができるように、装置に、スケジューリングされたアクセス期間が割り振られたとき、スーパーフレームのおおよそ６パーセントより低くオーバーヘッドを保つことができる。  
【表４】
0005937182.tif 000005
【００８５】
以下の表中で見ることができるように、アクセス期間内の区分の持続期間が変わるとき、サブフレームの１０パーセントよりも低くオーバーヘッドを維持できることが多い。ここで、正確な値は、ＣＴＲｑを受信する可能性に依存して異なっていることがある。  
【表５】
0005937182.tif 000006
【表６】
0005937182.tif 000007
【００８６】
処理システムにおける１つ以上のプロセッサは、ソフトウェアを実行してもよい。ソフトウェア、ファームウェア、ミドルウェア、マイクロコード、ハードウェア記述言語と呼ばれようと呼ばれなかろうと、またはその他のもので呼ばれようと呼ばれなかろうと、ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、手順、関数等を意味すると広く解釈すべきである。
【００８７】
ソフトウェアは、コンピュータ読み取り可能媒体上に存在していてもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによってアクセスできる、任意の利用可能な媒体であってもよい。例示によると、このようなコンピュータ読み取り可能媒体は、ＲＡＭ、ＲＯＭ、ＥＥＰＲＯＭ、ＣＤ−ＲＯＭまたは他の光ディスク記憶デバイス、磁気ディスク記憶または他の磁気記憶デバイス、あるいは命令またはデータ構成の形態で所望のプログラムコードを伝送または記憶するために使用でき、コンピュータによってアクセスできる他の何らかの媒体を含むことができるが、これらに限定されない。また、あらゆる接続は、コンピュータ読み取り可能媒体と適切に呼ばれている。例えば、ソフトウェアが、ウェブサイト、サーバ、あるいは同軸ケーブルや、ファイバ光ケーブルや、撚り対や、デジタル加入者線（ＤＳＬ）、あるいは赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピーディスク、ブルーレイディスクを含むが、一般的に、ディスク（ｄｉｓｋ）は、データを磁気的に再生する一方で、ディスク（ｄｉｓｃ）はデータをレーザによって光学的に再生する。したがって、いくつかの態様では、コンピュータ読み取り可能媒体は、一時的でないコンピュータ読み取り可能媒体（例えば、有体的媒体）を含んでいてもよい。加えて、いくつかの態様では、コンピュータ読み取り可能媒体は、一時的なコンピュータ読み取り可能媒体（例えば、信号）を含んでいてもよい。上記のものを組み合わせたものも、コンピュータ読み取り可能媒体の範囲内に含まれるべきである。コンピュータ読み取り可能媒体は、処理システム中に、処理システムの外部に存在していてもよく、または、処理システムを含む複数のエンティティ全体にわたって分散していてもよい。コンピュータ読み取り可能媒体は、コンピュータプログラムプロダクト中で具現化されてもよい。例示によると、コンピュータプログラムプロダクトは、パッケージングマテリアル中にコンピュータ読み取り可能媒体を含んでいてもよい。
【００８８】
上述したハードウェアインプリメンテーションでは、コンピュータ読み取り可能媒体は、デバイスの一部であってもよく、または、デバイスと別個であってもよい。しかしながら、当業者は、コンピュータ読み取り可能媒体がデバイスの外部にあってもよいことを容易に正しく認識するだろう。例示によると、コンピュータ読み取り可能媒体は、伝送回線、データによって変調される搬送波、および／または、ワイヤレスノードと別個のコンピュータプログラムプロダクトを含んでいてもよく、これらすべては、処理システム２０４によってアクセスされてもよい。代替的に、あるいは、コンピュータ読み取り可能媒体、または、この任意の一部分に加えて、コンピュータ読み取り可能媒体、または、この任意の一部分は、処理システム２０４の中に組み込んでもよく、これは、例えば、キャッシュおよび／または汎用レジスタファイルを備えるようなケースがある。
【００８９】
処理システム、処理システムの任意の一部、あるいは、１つ以上のエレメントと組み合わせた、処理システムまたはこの一部分は、ここで列挙した機能を実行する手段を提供してもよい。例示によると、処理システム実行コード、送信機、および／またはアンテナは、単独で、または、組み合わせて、いくつかの態様において、送信する手段を、例えば、複数の受信ビーム方向のうちの１つ以上に対する時間の割り振りを送信する手段を提供してもよい。時間の割り振りは、受信ビーム方向のうちの１つ以上中に位置付けられていることが知られている１つ以上の装置に関する情報に少なくとも部分的に基づいていてもよい。また、例示によると、処理システム実行コード、受信機、および／またはアンテナは、単独で、または、組み合わせて、いくつかの態様において、受信する手段を、例えば、少なくとも１つの装置が位置付けられていることが知られている受信ビーム方向を通して、１つ以上の装置のうちの少なくとも１つから通信を受信する手段を提供してもよい。代替的に、コンピュータ読み取り可能媒体上のコードは、ここで列挙した機能を実行する手段を提供してもよい。
【００９０】
いくつかの態様では、１つ以上のここで列挙した機能のうちの１つ以上は、１つ以上の機能を実行するように構成されている回路中で実現する。同様に、上述した手段は、手段の機能性を実現するように構成されている１つ以上の回路を含んでいてもよい。例えば、図１９は、送信する回路１９２と受信する回路１９４とを具備するワイヤレスノード１０２の態様を図示している。送信する回路１９２は、複数の受信ビーム方向のうちの１つ以上に対する時間の割り振りを送信するように構成していてもよい。時間の割り振りは、受信ビーム方向のうちの１つ以上中に位置付けられていることが知られている１つ以上の装置に関する情報に少なくとも部分的に基づいていてもよい。また、例では、受信する回路１９４は、少なくとも１つの装置が位置付けられていることが知られている受信ビーム方向を通して、１つ以上の装置のうちの少なくとも１つから通信を受信するように構成していてもよい。図１９中で図示されているワイヤレスノード１０２の態様は、送信する回路１９２と受信する回路１９４とに接続されている、図２に関して上述したアンテナ２１６も具備していてもよい。いくつかの態様では、アンテナ２１６は省略される。いくつかの態様では、図２中で図示されているコンポーネントのうちの１つ以上は、図１９中で図示されている、ワイヤレスノード１０２の態様に組み込んでもよい。
【００９１】
システム全体に課せられている、特定のアプリケーションおよび全体的な設計制約に依存して、本開示全体を通して提示されている記述した機能性をどのように最良に実現するかを、当業者は認識するだろう。
【００９２】
方法のまたはソフトウェアモジュールのコンテキスト中で記述した、ステップまたはブロックの任意の特定の順序または階層は、ワイヤレスノードの例を提供するように提示されていることが理解される。設計選択に基づいて、ステップの、特定の順序または階層は、この発明の範囲内のままでありながら再構成してもよいことが理解される。
【００９３】
さらに、方法またはソフトウェアモジュールの、ブロックまたはアクションの数またはコンフィギュレーションは、変えてもよい。例えば、図２０は、通信システム、例えば、システム６００中で通信する方法２０００の態様を図示している。方法２０００は、図７中で図示されている方法７００の代わりに実行されてもよく、通信を受信する何らかのデバイスによって、例えば、システム６００中で図示されているＡＰによって、または、図１９中で図示されているワイヤレスノード１０２によって実行されてもよい。ブロック２００２では、複数の受信ビーム方向のうちの１つ以上に対する時間の割り振りを送信する。例えば、送信する回路を使用して、時間の割り振りを送信してもよい。いくつかの態様では、１つ以上の受信ビーム方向のそれぞれに対する時間の割り振りは、その受信ビーム方向中に位置付けられていることが知られている１つ以上の装置に関する情報に少なくとも部分的に基づいている。次に、ブロック２００４では、１つ以上の受信ビーム方向のうちの少なくとも１つを通して通信を受信する。例えば、少なくとも１つの装置が位置付けられていることが知られている受信ビーム方向を通して、受信する回路１９４を使用して、１つ以上の装置のうちの少なくとも１つからの通信を受信してもよい。
【００９４】
先の説明は、当業者が、この開示の全範囲を完全に理解できるように提供されている。ここで開示したさまざまな構成に対する改良は、当業者に容易に明らかになるだろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つおよび１つのみ」を意味することを意図しているのではなく、むしろ「１つ以上の」を意味することを意図している。特に述べられていない限り、「いくつかの」という用語は、１つ以上のことを意味する。要素を組み合わせたもののうちの少なくとも１つ（例えば、「Ａ、Ｂ、またはＣのうちの少なくとも１つ」）を列挙している請求項は、列挙した要素のうちの１つ以上（例えば、Ａ、またはＢ、またはＣ、またはこれらのものを任意に組み合わせたもの）のことを意味する。当業者に知られ、または後に知られることになる本開示全体に記述されているさまざまな態様の要素のすべての構成的および機能的な均等物は、ここで参照により明確に組み込まれ、特許請求の範囲によって含まれることを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または、方法の請求項のケースでは、要素が「するステップ」というフレーズを用いて列挙されない限り、３５ Ｕ．Ｓ．Ｃ１１２条第６パラグラフの規定のもとで解釈されるべきではない。
以下に、本願出願の当初の特許請求の範囲に記載された発明を付記する。
［１］ワイヤレス通信のための装置において、
前記装置は、
複数の受信ビーム方向を通して通信を受信するように構成されている受信機と、前記受信ビーム方向のうちの１つ以上に対する時間の割り振りを通信するように構成されている送信機とを具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいている装置。
［２］前記時間の割り振りは、コンテンションアクセス期間に対応する［１］記載の装置。
［３］前記受信機は、前記コンテンションアクセス期間の少なくとも一部分の間に、前記１つ以上の知られている装置から要求メッセージを受信するように構成され、
前記要求メッセージは、データを送信するための時間を要求する［２］記載の装置。
［４］１つの知られている装置から受信した前記要求メッセージの数量に少なくとも部分的に基づいて、前記１つ以上の知られている装置のうちの１つにスティッキー割り当てを割り振るように構成されている回路をさらに具備する［３］記載の装置。
［５］１つ以上の装置に関する前記情報は、前記受信ビーム方向のうちの１つ以上のそれぞれに位置付けられていることが知られている装置の数量を含む［１］記載の装置。
［６］装置から送信された信号が、第１の受信ビーム方向を通して受信された場合、前記装置は、前記第１の受信ビーム方向中に位置付けられていることが知られている［１］記載の装置。
［７］前記時間の割り振りは、１つ以上のスケジューリングされたアクセス期間に対応する［１］記載の装置。
［８］前記受信機は、前記１つ以上のスケジューリングされたアクセス期間のそれぞれの間に、単一の装置から、要求または制御メッセージを受信するように構成されている［７］記載の装置。
［９］それぞれの知られている装置に対するアクセス期間をスケジューリングする［７］記載の装置。
［１０］前記受信ビーム方向のうちの１つ以上のうちの少なくとも１つに対して割り振られた時間の長さを決定するように構成されている回路をさらに具備する［１］記載の装置。
［１１］前記送信機は、前記時間の割り振りの表示を含むビーコンを周期的に送信するように構成されている［１］記載の装置。
［１２］前記ビーコンは、そこから前記受信機が前記通信を受信するだろうそれぞれの方向を示している情報をさらに含む［１１］記載の装置。
［１３］前記送信機は、前記ビーコンを複数の方向に連続的に送信するように構成されている［１１］記載の装置。
［１４］前記ビーコンは、前記１つ以上の装置を識別する情報を含む［１１］記載の装置。
［１５］前記受信ビーム方向のうちの１つ以上と、前記受信ビーム方向のうちの１つ以上中に位置付けられていることが知られている装置の数量とを相関させる情報を、記憶するデータ構成をさらに具備する［１］記載の装置。
［１６］前記送信機と受信機とを利用して、ビーム追跡を実行するように構成されている回路をさらに具備する［１］記載の装置。
［１７］単一の装置は、前記受信ビーム方向のうちの１つ以上のそれぞれに位置付けられていることが知られている［１］記載の装置。
［１８］前記受信ビーム方向のうちの第１のものに対する前記時間の割り振りは、前記受信ビーム方向のうちの第２のものに対する前記時間の割り振りとは異なる［１］記載の装置。
［１９］前記時間の割り振りは、連続する［１］記載の装置。
［２０］前記時間の割り振りは、連続しない［１］記載の装置。
［２１］前記受信ビーム方向のうちの第１のものに対する前記時間の割り振りは、連続しないサブ期間の第１の数量を含み、前記受信ビーム方向のうちの第２のものに対する前記時間の割り振りは、連続しないサブ期間の第２の数量を含み、前記第１の数量は、前記第２の数量とは異なる［２０］記載の装置。
［２２］ワイヤレス通信のための方法において、
前記方法は、
複数の受信ビーム方向のうちの１つ以上に対する時間の割り振りを送信することと、
少なくとも１つの装置が位置付けられていることが知られている受信ビーム方向を通して、１つ以上の装置のうちの少なくとも１つから通信を受信することとを含み、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいている方法。
［２３］前記時間の割り振りは、コンテンションアクセス期間に対応する［２２］記載の方法。
［２４］前記受信することは、前記コンテンションアクセス期間の少なくとも一部分の間に、前記１つ以上の知られている装置から要求メッセージを受信することを含み、
前記要求メッセージは、データを送信するための時間を要求する［２３］記載の方法。
［２５］装置から受信した前記要求メッセージの数量に少なくとも部分的に基づいて、前記装置にスティッキー割り当てを割り振ることをさらに含む［２４］記載の方法。
［２６］１つ以上の装置に関する前記情報は、前記受信ビーム方向のうちの１つ以上のそれぞれに位置付けられていることが知られている装置の数量を含む［２２］記載の方法。
［２７］装置から送信された信号が、前記受信ビーム方向を通して受信されたとき、前記装置は、第１の受信ビーム方向中に位置付けられていることが知られている［２２］記載の方法。
［２８］前記時間の割り振りは、１つ以上のスケジューリングされたアクセス期間に対応する［２２］記載の方法。
［２９］前記スケジューリングされたアクセス期間のうちの１つの間に、第１の装置からの信号送信を認識することと、
前記信号を無視することとを含み、
前記装置は、前記スケジューリングされたアクセス期間のうちの１つの間に通信を送信するようにスケジューリングされていない［２８］記載の方法。
［３０］それぞれの知られている装置に対するアクセス期間をスケジューリングすることを含む［２８］記載の方法。
［３１］前記受信ビーム方向のうちの１つ以上のうちの少なくとも１つに対して割り振られた時間の長さを決定することをさらに含む［２２］記載の方法。
［３２］前記送信することは、前記時間の割り振りの表示を含むビーコンを周期的に送信することを含む［２２］記載の方法。
［３３］前記ビーコンは、そこから通信が受信されるだろうそれぞれの方向を示している情報をさらに含む［３２］記載の方法。
［３４］前記送信することは、前記ビーコンを複数の方向に連続的に送信することを含む［３２］記載の方法。
［３５］前記ビーコンは、前記１つ以上の装置を識別する情報を含む［３２］記載の方法。
［３６］前記受信ビーム方向のうちの１つ以上と、前記受信ビーム方向のうちの１つ以上中に位置付けられていることが知られている装置の数量とを相関させる情報を、データ構成中に記憶させることをさらに含む［２２］記載の方法。
［３７］前記送信の前に、ビーム追跡を実行することをさらに含む［２２］記載の方法。
［３８］単一の装置は、前記受信ビーム方向のうちの１つ以上のそれぞれに位置付けられていることが知られている［２２］記載の方法。
［３９］前記受信ビーム方向のうちの第１のものに対する前記時間の割り振りは、前記受信ビーム方向のうちの第２のものに対する前記時間の割り振りとは異なる［２２］記載の方法。
［４０］前記時間の割り振りは、連続する［２２］記載の方法。
［４１］前記時間の割り振りは、連続しない［２２］記載の方法。
［４２］前記受信ビーム方向のうちの第１のものに対する前記時間の割り振りは、連続しないサブ期間の第１の数量を含み、前記受信ビーム方向のうちの第２のものに対する前記時間の割り振りは、連続しないサブ期間の第２の数量を含み、前記第１の数量は、前記第２の数量とは異なる［４１］記載の方法。
［４３］ワイヤレス通信のための装置において、
前記装置は、
複数の受信ビーム方向のうちの１つ以上に対する時間の割り振りを送信する手段と、
少なくとも１つの装置が位置付けられていることが知られている受信ビーム方向を通して、１つ以上の装置のうちの少なくとも１つから通信を受信する手段とを具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいている装置。
［４４］前記時間の割り振りは、コンテンションアクセス期間に対応する［４３］記載の装置。
［４５］前記受信する手段は、前記コンテンションアクセス期間の少なくとも一部分の間に、前記１つ以上の知られている装置から要求メッセージを受信する手段を備え、
前記要求メッセージは、データを送信するための時間を要求する［４４］記載の装置。
［４６］装置から受信した前記要求メッセージの数量に少なくとも部分的に基づいて、前記装置にスティッキー割り当てを割り振る手段をさらに具備する［４５］記載の装置。
［４７］１つ以上の装置に関する前記情報は、前記受信ビーム方向のうちの１つ以上のそれぞれに位置付けられていることが知られている装置の数量を含む［４３］記載の装置。
［４８］装置から送信された信号が、第１の受信ビーム方向を通して受信されたとき、前記装置は、前記第１の受信ビーム方向中に位置付けられていることが知られている［４３］記載の装置。
［４９］前記時間の割り振りは、１つ以上のスケジューリングされたアクセス期間に対応する［４３］記載の装置。
［５０］前記スケジューリングされたアクセス期間のうちの１つの間に、第１の装置からの信号送信を認識する手段と、
前記スケジューリングされたアクセス期間のうちの１つの間に通信を送信するように前記装置がスケジューリングされていない場合に前記信号を無視する手段とを具備する［４９］記載の装置。
［５１］それぞれの知られている装置に対するアクセス期間をスケジューリングする手段を具備する［４９］記載の装置。
［５２］前記受信ビーム方向のうちの１つ以上のうちの少なくとも１つに対して割り振られた時間の長さを決定する手段をさらに具備する［４３］記載の装置。
［５３］前記送信する手段は、前記時間の割り振りの表示を含むビーコンを周期的に送信する手段を備える［４３］記載の装置。
［５４］前記ビーコンは、そこから通信が受信されるだろうそれぞれの方向を示している情報をさらに含む［５３］記載の装置。
［５５］前記送信する手段は、前記ビーコンを複数の方向に連続的に送信する手段を備える［５３］記載の装置。
［５６］前記ビーコンは、前記１つ以上の装置を識別する情報を含む［５３］記載の装置。
［５７］前記受信ビーム方向のうちの１つ以上と、前記受信ビーム方向のうちの１つ以上中に位置付けられていることが知られている装置の数量とを相関させる情報を、データ構成中に記憶させる手段をさらに具備する［４３］記載の装置。
［５８］前記送信の前に、ビーム追跡を実行する手段をさらに具備する［４３］記載の装置。
［５９］単一の装置は、前記受信ビーム方向のうちの１つ以上のそれぞれに位置付けられていることが知られている［４３］記載の装置。
［６０］前記受信ビーム方向のうちの第１のものに対する前記時間の割り振りは、前記受信ビーム方向のうちの第２のものに対する前記時間の割り振りとは異なる［４３］記載の装置。
［６１］前記時間の割り振りは、連続する［４３］記載の装置。
［６２］前記時間の割り振りは、連続しない［４３］記載の装置。
［６３］前記受信ビーム方向の第１のものに対する前記時間の割り振りは、連続しないサブ期間の第１の数量を含み、前記受信ビーム方向の第２のものに対する前記時間の割り振りは、連続しないサブ期間の第２の数量を含み、前記第１の数量は、前記第２の数量とは異なる［６２］記載の装置。
［６４］通信のためのコンピュータプログラムプロダクトにおいて、
実行されるときに、装置に、
複数の受信ビーム方向のうちの１つ以上に対する時間の割り振りを送信させる命令と、
少なくとも１つの装置が位置付けられていることが知られている受信ビーム方向を通して、１つ以上の装置のうちの少なくとも１つから通信を受信させる命令とを含むコンピュータ読み取り可能媒体を具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいているコンピュータプログラムプロダクト。
［６５］ワイヤレスノードにおいて、
アンテナと、
複数の受信ビーム方向を通しての通信を、前記アンテナを通して受信するように構成されている受信機と、
前記受信ビーム方向のうちの１つ以上に対する時間の割り振りを通信するように構成されている送信機とを具備し、
前記１つ以上の受信ビーム方向のそれぞれに対する前記時間の割り振りは、前記受信ビーム方向のうちの１つ以上のそれぞれの各受信ビーム方向中に位置付けられていることが知られている１つ以上の装置に関する情報に少なくとも部分的に基づいているワイヤレスノード。
【図１】
0005937182.tif 000008
【図２】
0005937182.tif 000009
【図３Ａ】
0005937182.tif 000010
【図３Ｂ】
0005937182.tif 000011
【図３Ｃ】
0005937182.tif 000012
【図３Ｄ】
0005937182.tif 000013
【図４】
0005937182.tif 000014
【図５】
0005937182.tif 000015
【図６】
0005937182.tif 000016
【図７】
0005937182.tif 000017
【図８】
0005937182.tif 000018
【図９】
0005937182.tif 000019
【図１０】
0005937182.tif 000020
【図１１】
0005937182.tif 000021
【図１２】
0005937182.tif 000022
【図１３】
0005937182.tif 000023
【図１４】
0005937182.tif 000024
【図１５】
0005937182.tif 000025
【図１６】
0005937182.tif 000026
【図１７】
0005937182.tif 000027
【図１８】
0005937182.tif 000028
【図１９】
0005937182.tif 000029
【図２０】
0005937182.tif 000030